(57)【要約】ドライブ情報が常に最新の学習結果を示す記録再生条件を含むように更新されることを保証する。光ディスク（１０１）は，データを記録するためのデータ記録領域（１０４）と，ドライブ情報（４０１ａ）を記録するためのドライブ情報領域（４０１）を備えている。ドライブ情報（４０１ａ）は，複数のドライブ固有情報（４０１ｂ）を含む。複数のドライブ固有情報（４０１ａ）のそれぞれは，光ディスク（１０１）を装着し記録再生するドライブ装置の動作条件を規定する。複数のドライブ固有情報（４０１ａ）は，光ディスク（１０１）に記録された時刻の順序に配列されている。
2004003897.tif 000002
【特許請求の範囲】
【請求項１】
データを記録するためのデータ記録領域と、ドライブ固有情報を記録するためのドライブ情報領域と、を備えた光ディスクであって、
前記ドライブ情報領域は、複数のクラスタを有し、
前記クラスタのそれぞれは、複数のセクタを有し、
各セクタは、ひとつのドライブ固有情報を記憶する容量を有し、
前記複数のドライブ固有情報は、記録された順序に配列され、最後に記憶されたドライブ固有情報が読み出し順番の先頭の位置にあるような配列で１つのクラスタに記憶される、光ディスク。
【請求項２】
請求項１に記載の光ディスクであって、
新たなドライブ固有情報は、新たなクラスタの先頭セクタに記憶される一方、直前にあるクラスタの最後のセクタを除く残りのセクタの情報が新たなクラスタの先頭セクタに続く残りのセクタに記憶される、光ディスク。
【請求項３】
請求項１に記載の光ディスクであって、
前記ドライブ固有情報は、少なくとも光ディスク装置を製造したメーカーを識別するためのメーカー識別子と、該光ディスク装置のシリアルナンバーを含むドライブ識別子と、必要なレーザーパワーレベルを含む記録再生条件とを有する、光ディスク。
【請求項４】
請求項１に記載の光ディスクであって、
読み出し光の入射面が同一である、少なくとも第１記録層と第２記録層を有し、
第１記録層にドライブ固有情報を記録するためのドライブ情報領域を備え、前記ドライブ情報領域と同じ半径位置に相当する第２記録層の位置は未記録状態である、光ディスク。
【請求項５】
請求項１に記載の光ディスクであって、
各クラスタにある複数のセクタのひとつに、ディスク固有情報を記憶する、光ディスク。
【請求項６】
請求項５に記載の光ディスクであって、
ディスク固有情報は、少なくともデータ記憶領域においてデータが記録されている最終アドレスを含む、光ディスク。
【請求項７】
データを記録するためのデータ記録領域と、ドライブ固有情報を記録するためのドライブ情報領域と、を備え、前記ドライブ情報領域は、複数のクラスタを有し、前記クラスタのそれぞれは、複数のセクタを有し、各セクタは、ひとつのドライブ固有情報を記憶する容量を有し、前記複数のドライブ固有情報は、記録された順序に配列され、最後に記憶されたドライブ固有情報が読み出し順番の先頭の位置にあるような配列で１つのクラスタに記憶される、光ディスクを記憶する光ディスク装置であって、
光ディスクが装着されたかどうかを検出する検出装置と、
光ディスクに読み書きを行うドライブ装置と、
少なくとも光ディスク装置を製造したメーカーを識別するためのメーカー識別子と、該光ディスク装置のシリアルナンバーを含むドライブ識別子とを保持するメモリと、
ドライブ装置を制御するコントローラを有し、
前記ドライブ装置は、前記コントローラにより制御され、
光ディスクが装着されると、ドライブ情報領域にアクセスし、
先頭未記録クラスタを検出し、
先頭未記録クラスタの直前にある最終記録クラスタを読み出し、
最終記録クラスタにあるドライブ固有情報に基づいて書き込みパワーレベルの設定を行う、
光ディスク装置。
【請求項８】
請求項７に記載の光ディスク装置であって、
最終記録クラスタにあるドライブ固有情報に基づいて書き込みパワーレベルの設定は、
光ディスク装置のドライブ識別子と同じドライブ識別子を有するドライブ固有情報が最終記憶クラスタに含まれているかどうかを判断し、
同じドライブ識別子を有するドライブ固有情報があれば、そのドライブ固有情報に基づいて書き込みパワーレベルの設定をし、
同じドライブ識別子を有するドライブ固有情報がなければ、新たな学習により新たな書き込みパワーレベルを設定して新たなドライブ固有情報を生成し、
新たなドライブ固有情報を、新たなクラスタの先頭セクタに記憶する一方、直前にあるクラスタの最後のセクタを除く残りのセクタの情報を新たなクラスタの先頭セクタに続く残りのセクタに記憶する、光ディスク装置。
【請求項９】
データを記録するためのデータ記録領域と、ドライブ固有情報を記録するためのドライブ情報領域と、を備え、前記ドライブ情報領域は、複数のクラスタを有し、前記クラスタのそれぞれは、複数のセクタを有し、各セクタは、ひとつのドライブ固有情報を記憶する容量を有し、前記複数のドライブ固有情報は、記録された順序に配列され、最後に記憶されたドライブ固有情報が読み出し順番の先頭の位置にあるような配列で１つのクラスタに記憶される、光ディスクを記録する方法であって、
光ディスクの装着を検出し、
光ディスクが装着されると、ドライブ情報領域にアクセスし、
先頭未記録クラスタを検出し、
先頭未記録クラスタの直前にある最終記録クラスタを読み出し、
最終記録クラスタにあるドライブ固有情報に基づいて書き込みパワーレベルの設定を行う、
光ディスクの記録方法。
【請求項１０】
請求項９に記載の光ディスクの記録方法であって、
最終記録クラスタにあるドライブ固有情報に基づいて書き込みパワーレベルの設定は、
光ディスク装置のドライブ識別子と同じドライブ識別子を有するドライブ固有情報が最終記憶クラスタに含まれているかどうかを判断し、
同じドライブ識別子を有するドライブ固有情報があれば、そのドライブ固有情報に基づいて書き込みパワーレベルの設定をし、
同じドライブ識別子を有するドライブ固有情報がなければ、新たな学習により新たな書き込みパワーレベルを設定して新たなドライブ固有情報を生成し、
新たなドライブ固有情報を、新たなクラスタの先頭セクタに記憶する一方、直前にあるクラスタの最後のセクタを除く残りのセクタの情報を新たなクラスタの先頭セクタに続く残りのセクタに記憶する、光ディスクの記憶方法。
【発明の詳細な説明】
【技術分野】  本発明は、複数の記録再生条件等を含むドライブ情報を記録するためのドライブ情報領域を備えた光ディスク、光ディスクの記録装置、光ディスクの記録方法に関する。
【背景技術】  近年、光ディスクの高密度化、大容量化が進んでおり、光ディスクの信頼性を確保することが重要になっている。この信頼性を確保するため、光ディスク装置は、記録再生条件を求める学習処理を行っている。この内容は、例えば特開２００１−３３８４２２号公報に開示されている。
【発明の開示】
（発明が解決しようとする技術的課題）
記録再生条件は、光ディスクの特性および光ディスク装置の特性に大きく依存する。このため、記録再生条件を求める学習処理は、光ディスク装置に光ディスクを装着した後、光ディスク装置を起動する度に、あるいは、温度変化などの要因により光ディスクの特性または光ディスク装置の特性が変化する度に、繰り返し行われる必要がある。
最近では、光ディスクの更なる高密度化、大容量化が進み、より精密な記録再生条件を求める必要性が生じている。しかし、より精密な記録再生条件を求めるには、学習処理に長い時間を要する。その結果、光ディスク装置の待機時間が長くなるという問題点があった。
本発明は、上記問題点に鑑みてなされたものであり、記録再生条件を求める学習処理に要する時間を短縮することが可能な光ディスクを提供することを目的とする。
（その解決方法）
本発明の光ディスクは、データを記録するためのデータ記録領域と、ドライブ情報を記録するためのドライブ情報領域とを備えた光ディスクであって、前記ドライブ情報は、複数の記録再生条件を含み、前記複数の記録再生条件は、前記情報記録媒体に記録された時刻の順序に配列されており、これにより、上記目的が達成される。
また、本発明の光ディスクは、読み出し光の入射面が同一である複数の記録層を有し、前記記録層のうちひとつの層にドライブ情報を記録するためのドライブ情報領域を備え、他の記録層の前記ドライブ情報領域と同じ半径位置の部分は未記録状態が配置されており、これにより、上記目的が達成される。
（従来技術より有効な効果）
本発明の光ディスクによれば、複数の記録再生条件は、光ディスクに記録された時刻の順序に配列されている。これにより、ドライブ情報が常に最新の記録再生条件を含んでいることが保証される。
また、本発明の多層光ディスクによれば、ドライブ情報領域の存在する半径位置の他の層は未記録状態であり、ドライブ情報の安定な読み出しが保証される。
【図面の簡単な説明】  図１は、本発明の実施の形態１の光ディスク１０１の構造を示す図である。
図２は、図１に示される光ディスクの領域構造を示す図である。
図３は、ＥＣＣブロックの一例を示す構造図である。
図４は、ドライブ情報領域の構造を示す図である。
図５は、ドライブ情報領域のデータ配置を示す図である。
図６は、ドライブ情報領域のデータ配置を示す図である。
図７は、ドライブ情報領域のデータ配置を示す図である。
図８は、ドライブ情報領域のデータ配置を示す図である。
図９は、ドライブ情報領域のデータ配置を示す図である。
図１０は、ドライブ情報領域のデータ配置を示す図である。
図１１は、光ディスク記録装置のブロック図である。
図１２は、光ディスク記録装置の動作を示すフローチャートである。
図１３は、２層光ディスクの構造を示す図である。
図１４は、本発明の実施の形態２の光ディスクの領域構造を示す図である。
図１５は、本発明の実施の形態３の光ディスクの領域構造を示す図である。
図１６は、ドライブ情報領域のデータ配置を示す図である。
図１７は、ドライブ情報領域のデータ配置を示す図である。
図１８は、ドライブ情報領域のデータ配置を示す図である。
【発明を実施するための最良の形態】  本発明の情報記録媒体は、記録再生条件等のドライブ固有情報を記録するためのドライブ情報領域を有している。情報記録再生装置は、学習処理を実行することにより記録再生条件を求め、その記録再生条件を情報記録媒体のドライブ情報領域に記録する。情報記録媒体のドライブ情報領域に記録された記録再生条件は、次回の学習処理が実行される際に読み出され、新たな記録再生条件を求めるために利用される。
ここで、記録再生条件とは、光ディスク装置が光ディスクに情報を記録し、または、光ディスクに記録された情報を再生する際の光ディスク装置の動作条件をいう。
記録再生条件は、光ディスクに照射されるレーザパルスに関するパルス条件と、記録再生時の各種サーボの動作を決定するサーボ条件と、再生信号を処理するための再生信号処理条件とのうち少なくとも１つを含む。
パルス条件は、例えば、記録時に光ディスクに照射されるレーザーパルスのパワー値を含む。あるいは、パルス条件は、光ディスク上にマーク（情報の最小単位）を形成するためのレーザーパルスの条件を含んでいてもよい。光ディスク上にマークを形成する際にマークの前端から後端にかけて複数のパルスを光ディスクに照射する場合には、パルス条件は、そのマークの前端に対応する第１パルスの発生タイミングと、その第１パルスの長さと、その第１パルスのレーザー光の強度と、そのマークの後端に対応する最終パルスの発生タイミングと、その最終パルスの長さと、その最終パルスのレーザー光の強度とのうち少なくとも１つを含み、マークの長さに応じて定められている。または、マークの長さとそのマークの前後に配置されているスペースの長さとに応じて定められている。
あるいは、記録再生条件は、情報記録再生装置に含まれる各種回路の設定値またはその設定値を示すコード情報であってもよい。
このように、情報記録媒体のドライブ情報領域に記録された記録再生条件を再利用することにより、学習処理を簡素化することが可能になる。その結果、学習処理に要する時間を短縮することが可能となり、情報記録再生装置の待機時間を短縮することが可能となる。
以下、図面を参照しながら本発明の実施の形態を説明する。
（実施の形態１）
図１は、本発明の実施の形態１の情報記録媒体１０１の構造を示す。
光ディスク１０１には、複数のトラック１０２が同心円状に形成されている。あるいは、光ディスク１０１には、単一のトラック１０２がスパイラル状に形成されていてもよいし、複数のトラック１０２がスパイラル状に形成されていてもよい。
光ディスク１０１の領域は、リードイン領域１０３とデータ記録領域１０４とリードアウト領域１０５を含む。
リードイン領域１０３には、光ディスク１０１をアクセスするために必要とされる各種のパラメータが格納されている。リードイン領域１０３は、光ディスク１０１の最内周に配置される。
リードアウト領域１０５には、光ディスク１０１をアクセスするために必要とされる各種のパラメータが格納されていても良い。リードアウト領域１０５は、光ディスク１０１の最外周に配置される。
データの記録再生は、データ記録領域１０４に対して行われる。
図２は、図１に示される光ディスク１０１に配置されるリードイン領域、データ記録領域、リードアウト領域の構造を示す。
リードイン領域２０１は、光ディスク１０１の識別情報などの情報をトラックのウォブル形状、またはエンボスピット、またはウォブルしたエンボスピット等により記録したプリレコード領域２０４と、データを記録するデータ記録領域２０５を含む。
プリレコード領域２０４は、バッファとしてのプロテクト領域２０８と、光ディスク１０１の識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン２０９を含む。
データ記録領域２０５は、プリレコード領域２０４とデータ記録領域２０５のトラックピッチが異なる場合にトラックピッチの遷移領域として用いられることもできる、データを含まないプロテクト領域２１０と、将来の拡張のためのリザーブ領域２１１と、光ディスク１０１を検査するために利用されるテスト領域２１２と、バッファ領域２１３と、光ディスク１０１の様々な特性などの情報を格納するために利用されるドライブ領域２１４と、バッファ領域２１５とを含む。
データ記録領域２０２は、データを記録するデータ記録領域２０６を含み、データ記録領域２０６は、ユーザデータ等を記録するユーザデータ記録領域２１６を含む。
リードアウト領域２０３は、データを記録することができるデータ記録領域２０７を含み、データ記録領域２０７は、バッファ領域２１７と、将来の拡張のためのリザーブ領域２１８と、バッファ領域２１９と、データを含まないプロテクト領域２２０を含む。
ドライブ情報領域２１４は、たとえば２０４８個のＥＣＣブロック（クラスタ）から構成される。ＥＣＣブロックは、誤り訂正符号を計算するために使用される。誤り訂正符号は、ＥＣＣブロック単位に計算される。１つのＥＣＣブロックはたとえば３２セクタから構成される。
図３は、ＥＣＣブロックの構造の一例を示す。大容量の光ディスクの場合には、高い誤り訂正能力と低い冗長度とを両立させるために、１つのＥＣＣブロックは３２セクタから構成される。ただし、図３に示される例では、簡単のため、１つのＥＣＣブロックが４つのセクタから構成されると仮定する。
図３に示されるように、ＥＣＣブロックは、１７２バイト×４８行に配置されたメインデータと、メインデータの１行毎に（横方向に）誤り訂正符号を計算することによって得られる内符号パリティＰＩと、メインデータの１列毎に（縦方向に）誤り訂正符号を計算することによって得られる外符号パリティＰＯとを含む。
内符号パリティと外符号パリティとを含む符号は、一般的に積符号と呼ばれる。積符号は、ランダムエラーとバーストエラー（局所的に集中した誤り）の両方に強い誤り訂正方式である。例えば、ランダムエラーに加えて、引っ掻き傷で２行分のバーストエラーが発生した場合を考えてみる。バーストエラーは、外符号からみれば殆どが２バイト誤りなので訂正できる。ランダムエラーが多く存在した列は、外符号で訂正できずに誤りが残るが、この残った誤りは内符号によって大抵の場合訂正できる。内符号によっても誤りが残ったとしても、再び外符号で訂正すれば、さらに誤りの減らすことができる。ＤＶＤでは、このような積符号を採用したことによって、パリティの冗長度を抑えながら、十分な訂正能力が実現されている。言い換えれば、パリティの冗長度を抑えた分、ユーザデータの容量を高めることができている。
図３に示されるように、ＥＣＣブロックの外符号パリティは、１行ごとに各セクタに均等に配分されている。その結果、１つのセクタは、１８２バイト×１３行のデータから構成される。
光ディスク装置は、光ディスク装置に装着された光ディスク１０１に対してセクタ単位に記録または再生を行うことを命令されると、指定されたセクタを含むＥＣＣブロックを光ディスク１０１から再生して、誤り訂正を施した後、その指定されたセクタに相当するデータ部分だけを光ディスク１０１に記録する。光ディスク装置は、光ディスク装置に装着された光ディスク１０１に対してセクタ単位に記録を行うことを命令されると、指定されたセクタを含むＥＣＣブロックを光ディスク１０１から再生して、誤り訂正を施した後、その指定されたセクタに相当するデータ部分を記録すべきデータに置き換えて、誤り訂正符号を再計算して記録すべきデータに付け直し、その指定されたセクタを含むＥＣＣブロックを光ディスク１０１に記録する。
以下の説明において、クラスタとは上述したＥＣＣブロックを意味する。
図４は、図２に示されるドライブ情報領域２１４の構造を示す。
ドライブ情報領域２１４は、複数のクラスタ４０１ａを含む。例えば２０４８個のクラスタ４０１ａを含む。内周側からクラスタ＃１、クラスタ＃２・・クラスタ＃２０４８の順に配置される。各クラスタは、複数の、例えば３２個のセクタ４０１ｂを含む。内周側からセクタ＃１、セクタ＃２、・・・セクタ＃３２の順に配置される。ひとつのセクタは、ひとつのドライブ固有情報を記録するために必要な容量を有する。
ひとつのセクタに含まれるドライブ固有情報は、装着された光ディスク１０１にデータを記録再生するのに必要な光ディスク装置の動作条件を規定する。ドライブ固有情報は、光ディスク装置を製造したメーカーを識別するためのメーカー識別子４０２と、付属情報４０３と、そのメーカーにおいてその光ディスク装置を識別するためのシリアルナンバー等のドライブ識別子４０４と、必要なレーザーパワーレベル等の記録再生条件等を格納する情報格納領域４０５とを含む。情報格納領域４０５に格納される情報は、例えば、記録再生条件である。したがって、ドライブ固有情報を記録再生条件とも言う。情報格納領域４０５に格納される情報は記録再生条件以外の情報でもよいのは言うまでもない。
ディスクが新たな光ディスク装置に挿入される毎にひとつのドライブ固有情報が生成され、ディスクに記録される。なお、ディスクが以前に挿入されたことがある光ディスク装置に再度挿入された場合は、その光ディスク装置に対応するドライブ固有情報を読み出してドライブ情報として利用する。以前にそのディスクが挿入されたことがあるかどうかの判断は、ドライブ識別子４０４に同じものがあるかどうかを検出して行なう。また、たとえ以前にそのディスクが挿入されたことがあると、光ディスク装置で判断さらたとしても、記録する条件が異なれば、もう一度ドライブ固有情報を生成する様にしても良い。したがって、ひとつの光ディスク装置に対して、１以上のドライブ固有情報が規定され得る。
あるディスクについてはじめて生成されたドライブ固有情報をＤ（１）、２回目に生成されたドライブ固有情報をＤ（２）、ｎ回目に生成されたドライブ固有情報をＤ（ｎ）と表す。
図５、図６、図７、図８を用いて新たなドライブ固有情報が記録されるステップを説明する。
図５に示す様に、ある新品のディスクを光ディスク装置Ａに装着すると、はじめてドライブ固有情報Ｄ（１）が生成され、Ｄ（１）はクラスタ＃１のセクタ＃１に記録される。
図６に示す様に、同ディスクを２台目の光ディスク装置Ｂに装着すると、２つ目のドライブ固有情報Ｄ（２）が生成され、Ｄ（２）はクラスタ＃２のセクタ＃１に記録される。また、クラスタ＃１に記録されていた前回のドライブ固有情報Ｄ（１）は、クラスタ＃２のセクタ＃２にコピーされる。前回使用したクラスタ＃１はそのまま放置される。
図７に示す様に、同ディスクを３台目の光ディスク装置Ｃに装着すると、３つ目のドライブ固有情報Ｄ（３）が生成され、Ｄ（３）はクラスタ＃３のセクタ＃１に記録される。また、直前のクラスタ＃２に記録されていた前回までのドライブ固有情報、Ｄ（２），Ｄ（１）は、その順番で、クラスタ＃３のセクタ＃２、セクタ＃３にコピーされる。それまでに使用されたクラスタ＃１、＃２はそのまま放置される。
図８に示す様に、同ディスクを４台目の光ディスク装置Ｄに装着すると、４つ目のドライブ固有情報Ｄ（４）が生成され、Ｄ（４）はクラスタ＃４のセクタ＃１に記録される。また、直前のクラスタ＃３に記録されていた前回までのドライブ固有情報、Ｄ（３），Ｄ（２），Ｄ（１）は、その順番で、クラスタ＃４のセクタ＃２、セクタ＃３、セクタ＃４にコピーされる。それまでに使用されたクラスタ＃１、＃２、＃３はそのまま放置される。
図９に示す様に、同ディスクをｋ台目（ｋは正の整数）の光ディスク装置Ｋに装着すると（ｋ台目の光ディスク装置Ｋでなく、今までに装着したことがある光ディスク装置、たとえば光ディスク装置Ａの場合もあり得る。光ディスク装置Ａを所定期間（たとえば６ヶ月）以上使用していなかった場合や、光ディスク装置Ａの設定を変えた場合や、光ディスク装置Ａに設けた環境温度センサが前回の使用時と異なったレベルにあることを感知した場合などがある。）、ｋ回目のドライブ固有情報Ｄ（ｋ）が生成され、Ｄ（ｋ）はｋ番目のクラスタ＃ｋの先頭セクタ＃１に記録される。また、ｋ≦３２の場合は、直前にある（ｋ−１）番目のクラスタ＃（ｋ−１）に記録されていた前回までの全ドライブ固有情報Ｄ（ｋ−１），・・・，Ｄ（２），Ｄ（１）は、その順番で、クラスタ＃ｋの先頭セクタに続く残りのセクタ＃２、セクタ＃３、・・・セクタ＃ｋにコピーされる。ｋ＞３２の場合（図９に示す場合）は、直前にある（ｋ−１）番目のクラスタ＃（ｋ−１）に記録されていた前回までのドライブ固有情報Ｄ（ｎ＋３０），Ｄ（ｎ＋２９）・・・，Ｄ（ｎ＋１），Ｄ（ｎ）、（ただしｎ＝ｋ−３１）は、その順番で、クラスタ＃ｋの先頭セクタに続く残りのセクタ＃２、セクタ＃３、・・・セクタ＃ｋにコピーされる。Ｄ（ｎ−１）はセクタが満杯になっているので、コピーされない。それまでに使用されたクラスタ＃１、＃２、・・・＃（ｋ−１）はそのまま放置される。
図１０に示す様に、同ディスクを（ｋ＋１）台目の光ディスク装置Ｋ＋１に装着すると、（ｋ＋１）回目のドライブ固有情報Ｄ（ｋ＋１）（＝Ｄ（ｎ＋３２））が生成され、Ｄ（ｋ＋１）は（ｋ＋１）番目のクラスタ＃（ｋ＋１）の先頭セクタ＃１に記録される。また、直前にあるｋ番目のクラスタ＃ｋに記録されていた前回までのドライブ固有情報Ｄ（ｎ＋３１），Ｄ（ｎ＋３０），Ｄ（ｎ＋２９）・・・，Ｄ（ｎ＋１）は、その順番で、クラスタ＃ｋの先頭セクタに続く残りのセクタ＃２、セクタ＃３、・・・セクタ＃ｋにコピーされる。Ｄ（ｎ）はセクタが満杯になっているので、コピーされない。それまでに使用されたクラスタ＃１、＃２、・・・＃ｋはそのまま放置される。
この様にして、ひとつのクラスタに３２個のドライブ固有情報である記録再生条件が記録可能である。ドライブ固有情報は、光ディスク１０１に記録された時刻の新しいものから古いものへの順序に配列されている。この場合、３２個のドライブ固有情報のうち光ディスク１０１に最も最近に記録されたドライブ固有情報は、クラスタの先頭のセクタに配置されており、３２個のドライブ固有情報のうち光ディスク１０１に最も古く記録されたドライブ固有情報は、クラスタ＃ｋの末尾のセクタに配置されている。
また、新たな学習処理により求められたドライブ固有情報である記録再生条件は、常に、クラスタ＃ｋの先頭の位置に記録される。これにより、ドライブ情報領域５０２に、常に最新の学習結果を示す３２個の記録再生条件を含むことが保証される。
また、ドライブ情報領域２１４はＮ個のＥＣＣブロック（クラスタ）から構成され得る。Ｎ個のＥＣＣブロック（クラスタ）のそれぞれは複数のセクタを含む。各クラスタ４０１ａに含まれる複数のドライブ固有情報のそれぞれは、その複数のセクタのうち対応する１つのセクタに記録されている。ここで、Ｎは１以上の任意の整数であり、たとえば２０４８である。
図１１に光ディスク装置のブロック図を示す。１０１は光ディスク、４はディスクが装着されたかどうかを検出するディスク検出装置、６はコントローラ、８は光ディスク装置の固有情報（光ディスク装置を製造したメーカーを識別するためのメーカー識別子４０２と、付属情報４０３と、そのメーカーにおいてその光ディスク装置を識別するためのシリアルナンバー等のドライブ識別子４０４）が予め記憶されているメモリ、１０はディスクの読み書きを行うドライブ装置である。
図１２に光ディスク装置の動作を示す。
ステップＳ１で、ディスク検出装置４により光ディスクの装着を検出する。
ステップＳ２で、装着されたディスクのリードイン領域のドライブ情報領域にアクセスする。
ステップＳ３で、先頭のクラスタから順番に記録済かどうかをチェックし、初めて現れる未記録のクラスタ（先頭未記録クラスタ）を検出する。
ステップＳ４で、先頭未記録クラスタの直前にある記録済のクラスタ（最終記録クラスタ）をデコードする。
ステップＳ５で、デコードした最終記録クラスタのセクタを先頭セクタから順番に読むために、セクタ番号ｍを１にリセットする。
ステップＳ６で、セクタｍ（ここではｍ＝１）を読む。
ステップＳ７で、光ディスク装置のメモリ８に記憶されているドライブ識別子を検出する（検出したドライブ識別子を検出識別子という）と共に、セクタｍに記録されているドライブ識別子（登録識別子という）を読み出し、検出ドライブ識別子と登録ドライブ識別子が一致するかどうかを判断する。一致する場合はステップＳ１３に進み、一致しない場合は、ステップＳ８に進む。
ステップＳ１３で、注目セクタ（ステップＳ７から入った場合は、最終記録クラスタのセクタｍ）の情報格納領域４０５に記憶されているドライブ制御情報を読み出し、それによりドライブ装置１０を設定する。ドライブ装置１０は、試し書きや試し読みを行うことなく、読み出されたドライブ制御情報に基づいてディスクの読み書きが可能となる。これにより、ディスク装着後、ディスクへの書き込み、読み出し開始時間を短縮することができる。
ステップＳ８で、セクタ番号ｍを１つインクリメントする。
ステップＳ９で、セクタ番号ｍが最大値ｍｍａｘより大きいかどうかを判断する。最大値ｍｍａｘは、たとえば３２である。セクタ番号ｍが最大値ｍｍａｘと等しいか小さければステップＳ６に戻り、ステップＳ７，Ｓ８を繰り返す。セクタ番号ｍが最大値ｍｍａｘより大きければステップＳ１０に進む。
ステップＳ１０で、テスト領域２１２を用い試し書きや試し読みが行われ、装着されたディスクに最適のパワーレベルを求め、光ディスク装置のドライブ固有情報を作成する。作成されたドライブ固有情報は、ディスクにとっては、その光ディスク装置から得られる初めてのドライブ固有情報となるので、新ドライブ固有情報と言う。
ステップＳ１１で、先頭未記録クラスタの先頭セクタ（セクタ＃１）に、新ドライブ固有情報を書きこむ。
ステップＳ１２で、先頭未記録クラスタの先頭セクタ以外のセクタ（セクタ＃２〜セクタ＃３２）に、最終記録クラスタの最終セクタ以外のセクタ（セクタ＃１〜セクタ＃３１）の情報をコピーする。
ステップＳ１３で、注目セクタ（ステップＳ１２から入った場合は、先頭未記録クラスタの先頭セクタ）の情報格納領域４０５に記憶されているドライブ制御情報によりドライブ装置１０を設定し、ディスクの読み書きを可能とする。
なお、新ドライブ固有情報が作成された場合は、その情報をセクタに記録する前にドライブ装置１０の設定を行っても良い。
以上より明らかなように、ひとつのディスクが同じ光ディスク装置に装着されると、光ディスク装置は、ドライブ情報領域２１４にアクセスし、クラスタを先頭から順番にチェックし、初めて現れる未記録のクラスタ（先頭未記録クラスタ）を検出し、その直前にある最終記録クラスタのセクタを最初から順番に読む。これにより、新しいドライブ固有情報から古いドライブ固有情報の順番で読み出すことができる。すなわち、最後に記憶されたドライブ固有情報が読み出し順番の先頭の位置にあるように配列されている。
以上の説明から明らかな様に、１回のドライブ固有情報の記録には、１つのクラスタが使用される。初回記録はクラスタ＃１が使用され、２回目記録はクラスタ＃２が使用され、というように内周から順に使用されていく。したがって、ｋ回記録した後には、クラスタ＃１からクラスタ＃ｋまでが記録済みの状態であり、最新の情報はクラスタ＃ｋに格納されている。
このように、ドライブ情報領域４０１を更新することにより、ドライブ情報領域４０１の最も最近に記録されたクラスタ＃ｋ＋１が常に最新の３２個の記録再生条件４０１ｂを含むことが保証されるので、この部分をはじめにドライブが読み出すことにより、使用できる記録再生条件があった場合には学習時間が短縮できる。
また、上述のように、ドライブ情報領域４０１の構造を、未記録の領域への追加記録により情報更新を行う構造とすることにより、書き換え型光ディスクだけでなく、１回記録のみ可能なＷｒｉｔｅ−ｏｎｃｅ型（追記型）の光ディスクにも使用できるという効果もある。
（実施の形態２）
図１３は、本発明の実施の形態２の片面２層型光ディスクの構造を示す。
図１３において、６０１は第１の基板、６０２は第１の記録層、６０３は接着樹脂などのスペース層、６０４は第２の記録層、６０５は第２の基板である。
図１３において、第２の基板６０５側からレーザ光を照射し、第１の記録層６０２および第２の記録層６０４にデータを記録、再生する。
第１の記録層６０２および第２の記録層６０４には、トラックがスパイラル状に形成されていてもよいし、複数のトラックがスパイラル状に形成されていてもよい。
図１４は、図１３に示される２層光ディスクに配置される領域の構造を示す。
第１記録層のプリレコード領域７０１ａは、２層光ディスクの識別情報などの情報をトラックのウォブル形状、またはエンボスピット、またはウォブルしたエンボスピット等により記録した領域である。
プリレコード領域７０１ａは、バッファとしてのプロテクト領域７０３ａと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン７０４ａを含む。
また、コントロールデータゾーン７０４ａが含む情報は、第１記録層に関する情報のみであっても良いし、第１記録層に関する情報と第２記録層に関する情報の両方であっても良い。
第２記録層のプリレコード領域７０１ｂは、第１記録層のプリレコード領域７０１ａと同じ半径位置に配置されている。
プリレコード領域７０１ｂは、バッファとしてのプロテクト領域７０３ｂと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン７０４ｂを含む。
また、コントロールデータゾーン７０４ｂが含む情報は、第２記録層に関する情報のみであっても良いし、第１記録層に関する情報と第２記録層に関する情報の両方であっても良い。コントロールデータゾーン７０４ａと７０５ａは同じ情報を有していてもよい。
第１記録層のデータ記録領域７０２ａは、データを含まないプロテクト領域７０５ａと、将来の拡張のためのリザーブ領域７０６ａと、光ディスクを検査するために利用されるテスト領域７０７ａと、バッファ領域７０８ａと、光ディスクの様々な特性などの情報を格納するために利用されるドライブ領域７０９ａと、バッファ領域７１０ａと、ユーザデータ等を記録するユーザデータ記録領域７１１ａと、バッファ領域７１２ａと、将来の拡張のためのリザーブ領域７１３ａと、バッファ領域７１４ａと、データを含まないプロテクト領域７１５ａを含む。プロテクト領域７０５ａは、プリレコード領域７０１ａとデータ記録領域７０２ａのトラックピッチが異なる場合にトラックピッチの遷移領域として用いられることもできる。
第２記録層のデータ記録領域７０２ｂは、プリレコード領域７０１ｂとデータ記録領域７０２ｂのトラックピッチが異なる場合にトラックピッチの遷移領域として用いられることもできる、データを含まないプロテクト領域７０５ｂを含み、プロテクト領域７０５ｂは、第１記録層のプロテクト領域７０５ａと同じ半径位置に配置されている。
また第２記録層のデータ記録領域７０２ｂは、光ディスクを検査するために利用されるテスト領域７０７ｂを含み、テスト領域７０７ｂは、第１記録層のリザーブ領域７０６ａと同じ半径位置に配置されるか、あるいは内周側半径位置が等しく配置されている。
また第２記録層のデータ記録領域７０２ｂは、将来の拡張のためのリザーブ領域７０６ｂを含み、リザーブ領域７０６ｂは、第１記録層のテスト領域７０７ａと同じ半径位置に配置されるか、あるいは外周側半径位置が等しく配置されている。
また第２記録層のデータ記録領域７０２ｂは、バッファ領域７０８ｂを含み、第１記録層のバッファ領域７０８ａと同じ半径位置に配置されている。
また第２記録層のデータ記録領域７０２ｂは、データをふくまないリザーブ領域７０９ｂを含み、第１記録層のドライブ領域領域７０９ａと同じ半径位置に配置されている。
また第２記録層のデータ記録領域７０２ｂは、バッファ領域７１０ｂと、ユーザデータ等を記録するユーザデータ記録領域７１１ｂと、バッファ領域７１２ｂと、将来の拡張のためのリザーブ領域７１３ｂと、バッファ領域７１４ｂと、データを含まないプロテクト領域７１５ｂを含み、それぞれ第１記録層のバッファ領域７１０ａと、ユーザデータ記録領域７１１ａと、バッファ領域７１２ａと、将来の拡張のためのリザーブ領域７１３ａと、バッファ領域７１４ａと、データを含まないプロテクト領域７１５ａと同じ半径位置に配置されている。
またディスクを回転させてトラックを追従して記録再生を行うときの方向は、第１記録層では内周から外周（矢印７１６ａ）であり、第２記録層では外周から内周（矢印７１６ｂ）である。
本構造をとることにより、コントロールデータゾーンが第１記録層、第２記録層の同半径位置に配置されているので、どちらかの層で読めば良く、識別情報の読み取りが早くなるというメリットがある。
また、ドライブ情報領域７０９ａと同じ半径位置にデータの記録されないリザーブ領域７０９ｂが配置されているので、常に一定の状態（ここでは未記録状態）の第２層を通してドライブ情報領域７０９ａを記録再生することができ、ドライブ情報の安定した記録再生ができるという効果がある。
また、本発明の構造により、テスト領域の少なくとも一部と同じ半径位置にデータの記録されないリザーブ領域が配置されているので、常に一定の状態（ここでは未記録状態）の他層を通して安定なテストができるという効果がある。
また、本実施の形態でのドライブ情報領域７０９ａの構造は、図４、図１６、図１７、図１８のいずれの構造であっても良いことは言うまでもない。
（実施の形態３）
本発明の実施の形態３の片面２層型光ディスクも図１３に示すディスク構造を有する。
図１５は、実施の形態３の２層光ディスクに配置される領域の構造を示す。
第１記録層のプリレコード領域８０１ａは、２層光ディスクの識別情報などの情報をトラックのウォブル形状、またはエンボスピット、またはウォブルしたエンボスピット等により記録した領域である。
プリレコード領域８０１ａは、バッファとしてのプロテクト領域８０３ａと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン８０４ａを含む。
また、コントロールデータゾーン８０４ａが含む情報は、第１記録層に関する情報のみであっても良いし、第１記録層に関する情報と第２記録層に関する情報の両方であっても良い。
第２記録層のプリレコード領域８０１ｂは、第１記録層のプリレコード領域８０１ａと同じ半径位置に配置されている。
プリレコード領域８０１ｂは、バッファとしてのプロテクト領域８０３ｂと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン８０４ｂを含む。
また、コントロールデータゾーン８０４ｂが含む情報は、第２記録層に関する情報のみであっても良いし、第１記録層に関する情報と第２記録層に関する情報の両方であっても良い。コントロールデータゾーン８０４ａと８０５ａは同じ情報を有していてもよい。
第１記録層のデータ記録領域８０２ａは、データを含まないプロテクト領域８０５ａと、バッファ領域８０６ａと、光ディスクの様々な特性などの情報を格納するために利用されるドライブ情報領域８０７ａと、バッファ領域８０８ａと、光ディスクを検査するために利用されるテスト領域８０９ａと、将来の拡張のためのリザーブ領域８１０ａと、ユーザデータ等を記録するユーザデータ記録領域８１１ａと、バッファ領域８１２ａと、将来の拡張のためのリザーブ領域８１３ａと、バッファ領域８１４ａと、データを含まないプロテクト領域８１５ａを含む。プロテクト領域８０５ａは、プリレコード領域８０１ａとデータ記録領域８０２ａのトラックピッチが異なる場合にトラックピッチの遷移領域として用いられることもできる。
第２記録層のデータ記録領域８０２ｂは、プリレコード領域８０１ｂとデータ記録領域８０２ｂのトラックピッチが異なる場合にトラックピッチの遷移領域として用いられることもできる、データを含まないプロテクト領域８０５ｂを含み、プロテクト領域８０５ｂは、第１記録層のプロテクト領域８０５ａと同じ半径位置に配置されている。
また第２記録層のデータ記録領域８０２ｂは、データをふくまないリザーブ領域８０７ｂを含み、第１記録層のドライブ情報領域８０７ａと同じ半径位置に配置されている。
また第２記録層のデータ記録領域８０２ｂは、将来の拡張のためのリザーブ領域８１０ｂを含み、リザーブ領域８１０ｂは、第１記録層のテスト領域８０９ａと同じ半径位置に配置されるか、あるいは内周側半径位置が等しく配置されている。
また第２記録層のデータ記録領域８０２ｂは、光ディスクを検査するために利用されるテスト領域８０９ｂを含み、テスト領域８０９ｂは、第１記録層のリザーブ領域８１０ａと同じ半径位置に配置されるか、あるいは外周側半径位置が等しく配置されている。
また第２記録層のデータ記録領域８０２ｂは、ユーザデータ等を記録するユーザデータ記録領域８１１ｂと、バッファ領域８１２ｂと、将来の拡張のためのリザーブ領域８１３ｂと、バッファ領域８１４ｂと、データを含まないプロテクト領域８１５ｂを含み、それぞれ第１記録層のユーザデータ記録領域８１１ａと、バッファ領域８１２ａと、将来の拡張のためのリザーブ領域８１３ａと、バッファ領域８１４ａと、データを含まないプロテクト領域８１５ａと同じ半径位置に配置されている。
またディスクを回転させてトラックを追従して記録再生を行うときの方向は、第１記録層では内周から外周（矢印８１６ａ）であり、第２記録層では外周から内周（矢印８１６ｂ）である。
本構造をとることにより、コントロールデータゾーンが第１記録層、第２記録層の同半径位置に配置されているので、どちらかの層で読めば良く、識別情報の読み取りが早くなるというメリットがある。
また、ドライブ情報領域８０７ａと同じ半径位置にデータの記録されないリザーブ領域８０７ｂが配置されているので、常に一定の状態（ここでは未記録状態）の第２層を通してドライブ情報領域８０７ａを記録再生することができ、ドライブ情報の安定した記録再生ができるという効果がある。
また、本発明の構造により、テスト領域の少なくとも一部と同じ半径位置にデータの記録されないリザーブ領域が配置されているので、常に一定の状態（ここでは未記録状態）の他層を通して安定なテストができるという効果がある。
また、本実施の形態でのドライブ情報領域８０７ａの構造は、図４、図１６，図１７，図１８のいずれの構造であっても良いことは言うまでもない。
（実施の形態４）
図１６は、本発明の実施の形態４であるところの、図２に示されるドライブ情報領域２１４の構造を示す。図１７、図１８は、それぞれ変形例を示す。
図１６において、各クラスタは、複数（たとえば３２個）のセクタで構成され、セクタにドライブ固有情報が記録されるのは、実施の形態１と同様である。実施の形態４においては、ドライブ固有情報に加えてひとつのディスク固有情報Ｓ（ｉ）がセクタに記録される。
ディスク固有情報Ｓ（ｉ）は、ユーザデータが記録されている最終アドレス、使用済みのテスト領域の最終アドレスなどを含む。クラスタ＃１のセクタ＃１にドライブ固有情報Ｄ（１）を記録し、ユーザーデータを記録した後の最終アドレス情報、および使用済みのテスト領域の最終アドレス情報がディスク固有情報Ｓ（１）としてクラスタ＃１のセクタ＃２に記録される。
同ディスクが２台目の光ディスク装置に装着されると、クラスタ＃２のセクタ＃１、セクタ＃２にそれぞれドライブ固有情報Ｄ（２）、Ｄ（１）を記録し、更に、セクタ＃３にユーザーデータを更に記録した後の更新最終アドレス情報、および使用済みのテスト領域の更新最終アドレス情報がディスク固有情報Ｓ（２）として記録される。
このように、各クラスタにおいて、ひとつのセクタを、ディスク固有情報を記録するために用いる。ディスク固有情報を記憶するセクタは、各クラスタの記憶済セクタの最後のセクタに記憶しても良いし（図１６の場合）、各クラスタの先頭セクタに記憶しても良い（図１７の場合）。また、別のセクタに記憶しても良い。
ディスク固有情報は、新ドライブ固有情報が加わるごとに更新するようにしても良いし、又は、所定量のユーザデータ領域が記憶される毎に更新するようにしても良い。所定量のユーザデータ領域が記憶される毎に更新する場合を図１８に示す。
図１８において、ディスクが２台目の光ディスク装置に装着されると、クラスタ＃２のセクタ＃２、セクタ＃３にそれぞれドライブ固有情報Ｄ（２）、Ｄ（１）を記録し、更に、セクタ＃１にユーザーデータを記録した後の更新最終アドレス情報、および使用済みのテスト領域の更新最終アドレス情報がディスク固有情報Ｓ（２）として記録される。その後、同じ光ディスク装置を用いて所定量Ｆのユーザーデータが記録されれば、クラスタ＃３のセクタ＃２、セクタ＃３にそれぞれドライブ固有情報Ｄ（２）、Ｄ（１）のデータをクラスタ＃２からコピーし、クラスタ＃３のセクタ＃１に更新したディスク固有情報Ｓ（３）を記憶する。
所定量Ｆは、クラスタ数をＧ（たとえばＧ＝２０４８）、ユーザデータ領域の容量をＳとすると、Ｆ＝２Ｓ／Ｇとすることができる。この場合、１台の光ディスク装置を用いてユーザデータ領域を全面記録したとしても、ディスク固有情報Ｓ（ｉ）の更新回数は、Ｇ／２になり、ドライブ情報領域にはまだ半分のクラスタが残ることとなり、余裕を持ってクラスタを利用することができる。Ｆ＝ｈ・Ｓ／Ｇ（ｈは１より大きい正数）で選ぶことができる。たとえばＦ＝Ｓ／Ｇ、Ｆ＝３Ｓ／Ｇ、Ｆ＝４Ｓ／Ｇ、Ｆ＝５Ｓ／Ｇのいずれかであっても良い。
図１７において、ドライブ固有情報Ｄ（ｎ）が３１個まで増えると、Ｄ（１）からＤ（３１）は、セクタ＃３２からセクタ＃２に、光ディスク１０１に記録された時刻の順序に配列され、一番新しいＤ（３１）がセクタ＃２に配置される様に、記憶される。セクタ＃１にはディスク固有情報Ｓ（ｉ）が記憶される。
また、上述のように、ドライブ情報領域９０１の構造を、未記録の領域への追加記録により情報更新を行う構造とすることにより、書き換え型光ディスクだけでなく、１回記録のみ可能なＷｒｉｔｅ−ｏｎｃｅ型（追記型）の光ディスクにも使用できるという効果もある。
また、ユーザデータが記録されている最終アドレス、使用済みのテスト領域の最終アドレスなどを含むディスク固有情報を記録することにより、追記記録時の未記録領域へのアクセス、未使用のテスト領域へのアクセスが早くなる効果もある。
また、ドライブ固有情報とディスク固有情報の両方が１つのクラスタ（ＥＣＣブロック）内に記録される構造であるので、ドライブ固有情報とディスク固有情報の両方を更新する場合においても、１つのクラスタのみを更新すれば良いので、ドライブ情報領域を効率的に使用できるという効果があり、特に１回記録のみ可能なＷｒｉｔｅ−ｏｎｃｅ型（追記型）の光ディスクにおいて効果が大きい。
本発明の光ディスクによれば、複数の記録再生条件は、光ディスクに記録された時刻の順序に配列されている。これにより、ドライブ情報が常に最新の記録再生条件を含んでいることが保証される。
また、本発明の多層光ディスクによれば、ドライブ情報領域の存在する半径位置の他の層は未記録状態であり、ドライブ情報の安定な読み出しが保証される。
なお、優先権主張の基礎出願である日本出願、２００２−１９２１９２と２００２−３１００９４は、これらをここで引用することにより、本願の開示の一部とする。
【図１】
2004003897.tif 000003
【図２】
2004003897.tif 000004
【図３】
2004003897.tif 000005
【図４】
2004003897.tif 000006
【図５】
2004003897.tif 000007
【図６】
2004003897.tif 000008
【図７】
2004003897.tif 000009
【図８】
2004003897.tif 000010
【図９】
2004003897.tif 000011
【図１０】
2004003897.tif 000012
【図１１】
2004003897.tif 000013
【図１２】
2004003897.tif 000014
【図１３】
2004003897.tif 000015
【図１４】
2004003897.tif 000016
【図１５】
2004003897.tif 000017
【図１６】
2004003897.tif 000018
【図１７】
2004003897.tif 000019
【図１８】
2004003897.tif 000020
【手続補正書】
【提出日】平成17年1月27日(2005.1.27)
【手続補正１】
【補正対象書類名】明細書
【補正対象項目名】全文
【補正方法】変更
【補正の内容】
【書類名】  明細書
【特許請求の範囲】
【請求項１】
データを記録するためのデータ記録領域と、ドライブ固有情報を記録するためのドライブ情報領域と、を備えた光ディスクであって、
前記ドライブ情報領域は、複数のクラスタを有し、
前記クラスタのそれぞれは、複数のセクタを有し、
各セクタは、ひとつのドライブ固有情報を記憶する容量を有し、
前記複数のドライブ固有情報は、記録された順序に配列され、最後に記憶されたドライブ固有情報が読み出し順番の先頭の位置にあるような配列で１つのクラスタに記憶される、光ディスク。
【請求項２】
請求項１に記載の光ディスクであって、
新たなドライブ固有情報は、新たなクラスタの先頭セクタに記憶される一方、直前にあるクラスタの最後のセクタを除く残りのセクタの情報が新たなクラスタの先頭セクタに続く残りのセクタに記憶される、光ディスク。
【請求項３】
請求項１に記載の光ディスクであって、
前記ドライブ固有情報は、少なくとも光ディスク装置を製造したメーカーを識別するためのメーカー識別子と、該光ディスク装置のシリアルナンバーを含むドライブ識別子と、必要なレーザーパワーレベルを含む記録再生条件とを有する、光ディスク。
【請求項４】
請求項１に記載の光ディスクであって、
読み出し光の入射面が同一である、少なくとも第１記録層と第２記録層を有し、
第１記録層にドライブ固有情報を記録するためのドライブ情報領域を備え、前記ドライブ情報領域と同じ半径位置に相当する第２記録層の位置は未記録状態である、光ディスク。
【請求項５】
請求項１に記載の光ディスクであって、
各クラスタにある複数のセクタのひとつに、ディスク固有情報を記憶する、光ディスク。
【請求項６】
請求項５に記載の光ディスクであって、
ディスク固有情報は、少なくともデータ記憶領域においてデータが記録されている最終アドレスを含む、光ディスク。
【請求項７】
データを記録するためのデータ記録領域と、ドライブ固有情報を記録するためのドライブ情報領域と、を備え、前記ドライブ情報領域は、複数のクラスタを有し、前記クラスタのそれぞれは、複数のセクタを有し、各セクタは、ひとつのドライブ固有情報を記憶する容量を有し、前記複数のドライブ固有情報は、記録された順序に配列され、最後に記憶されたドライブ固有情報が読み出し順番の先頭の位置にあるような配列で１つのクラスタに記憶される、光ディスクを記憶する光ディスク装置であって、
光ディスクが装着されたかどうかを検出する検出装置と、
光ディスクに読み書きを行うドライブ装置と、
少なくとも光ディスク装置を製造したメーカーを識別するためのメーカー識別子と、該光ディスク装置のシリアルナンバーを含むドライブ識別子とを保持するメモリと、
ドライブ装置を制御するコントローラを有し、
前記ドライブ装置は、前記コントローラにより制御され、
光ディスクが装着されると、ドライブ情報領域にアクセスし、
先頭未記録クラスタを検出し、
先頭未記録クラスタの直前にある最終記録クラスタを読み出し、
最終記録クラスタにあるドライブ固有情報に基づいて書き込みパワーレベルの設定を行う、
光ディスク装置。
【請求項８】
請求項７に記載の光ディスク装置であって、
最終記録クラスタにあるドライブ固有情報に基づいて書き込みパワーレベルの設定は、
光ディスク装置のドライブ識別子と同じドライブ識別子を有するドライブ固有情報が最終記憶クラスタに含まれているかどうかを判断し、
同じドライブ識別子を有するドライブ固有情報があれば、そのドライブ固有情報に基づいて書き込みパワーレベルの設定をし、
同じドライブ識別子を有するドライブ固有情報がなければ、新たな学習により新たな書き込みパワーレベルを設定して新たなドライブ固有情報を生成し、
新たなドライブ固有情報を、新たなクラスタの先頭セクタに記憶する一方、直前にあるクラスタの最後のセクタを除く残りのセクタの情報を新たなクラスタの先頭セクタに続く残りのセクタに記憶する、光ディスク装置。
【請求項９】
データを記録するためのデータ記録領域と、ドライブ固有情報を記録するためのドライブ情報領域と、を備え、前記ドライブ情報領域は、複数のクラスタを有し、前記クラスタのそれぞれは、複数のセクタを有し、各セクタは、ひとつのドライブ固有情報を記憶する容量を有し、前記複数のドライブ固有情報は、記録された順序に配列され、最後に記憶されたドライブ固有情報が読み出し順番の先頭の位置にあるような配列で１つのクラスタに記憶される、光ディスクを記録する方法であって、
光ディスクの装着を検出し、
光ディスクが装着されると、ドライブ情報領域にアクセスし、
先頭未記録クラスタを検出し、
先頭未記録クラスタの直前にある最終記録クラスタを読み出し、
最終記録クラスタにあるドライブ固有情報に基づいて書き込みパワーレベルの設定を行う、
光ディスクの記録方法。
【請求項１０】
請求項９に記載の光ディスクの記録方法であって、
最終記録クラスタにあるドライブ固有情報に基づいて書き込みパワーレベルの設定は、
光ディスク装置のドライブ識別子と同じドライブ識別子を有するドライブ固有情報が最終記憶クラスタに含まれているかどうかを判断し、
同じドライブ識別子を有するドライブ固有情報があれば、そのドライブ固有情報に基づいて書き込みパワーレベルの設定をし、
同じドライブ識別子を有するドライブ固有情報がなければ、新たな学習により新たな書き込みパワーレベルを設定して新たなドライブ固有情報を生成し、
新たなドライブ固有情報を、新たなクラスタの先頭セクタに記憶する一方、直前にあるクラスタの最後のセクタを除く残りのセクタの情報を新たなクラスタの先頭セクタに続く残りのセクタに記憶する、光ディスクの記憶方法。
【発明の詳細な説明】
【０００１】
【発明の属する技術分野】
本発明は、複数の記録再生条件等を含むドライブ情報を記録するためのドライブ情報領域を備えた光ディスク、光ディスクの記録装置、光ディスクの記録方法に関する。
【０００２】
【従来の技術】
近年、光ディスクの高密度化、大容量化が進んでおり、光ディスクの信頼性を確保することが重要になっている。この信頼性を確保するため、光ディスク装置は、記録再生条件を求める学習処理を行っている。この内容は、例えば特開２００１−３３８４２２号公報に開示されている。
【０００３】
【発明が解決しようとする課題】
記録再生条件は、光ディスクの特性および光ディスク装置の特性に大きく依存する。このため、記録再生条件を求める学習処理は、光ディスク装置に光ディスクを装着した後、光ディスク装置を起動する度に、あるいは、温度変化などの要因により光ディスクの特性または光ディスク装置の特性が変化する度に、繰り返し行われる必要がある。
最近では、光ディスクの更なる高密度化、大容量化が進み、より精密な記録再生条件を求める必要性が生じている。しかし、より精密な記録再生条件を求めるには、学習処理に長い時間を要する。その結果、光ディスク装置の待機時間が長くなるという問題点があった。
本発明は、上記問題点に鑑みてなされたものであり、記録再生条件を求める学習処理に要する時間を短縮することが可能な光ディスクを提供することを目的とする。
【０００４】
【課題を解決するための手段】
本発明の光ディスクは、データを記録するためのデータ記録領域と、ドライブ情報を記録するためのドライブ情報領域とを備えた光ディスクであって、前記ドライブ情報は、複数の記録再生条件を含み、前記複数の記録再生条件は、前記情報記録媒体に記録された時刻の順序に配列されており、これにより、上記目的が達成される。
また、本発明の光ディスクは、読み出し光の入射面が同一である複数の記録層を有し、前記記録層のうちひとつの層にドライブ情報を記録するためのドライブ情報領域を備え、他の記録層の前記ドライブ情報領域と同じ半径位置の部分は未記録状態が配置されており、これにより、上記目的が達成される。
【０００５】
【発明の実施の形態】
本発明の情報記録媒体は、記録再生条件等のドライブ固有情報を記録するためのドライブ情報領域を有している。情報記録再生装置は、学習処理を実行することにより記録再生条件を求め、その記録再生条件を情報記録媒体のドライブ情報領域に記録する。情報記録媒体のドライブ情報領域に記録された記録再生条件は、次回の学習処理が実行される際に読み出され、新たな記録再生条件を求めるために利用される。
ここで、記録再生条件とは、光ディスク装置が光ディスクに情報を記録し、または、光ディスクに記録された情報を再生する際の光ディスク装置の動作条件をいう。
【０００６】
記録再生条件は、光ディスクに照射されるレーザパルスに関するパルス条件と、記録再生時の各種サーボの動作を決定するサーボ条件と、再生信号を処理するための再生信号処理条件とのうち少なくとも１つを含む。
パルス条件は、例えば、記録時に光ディスクに照射されるレーザーパルスのパワー値を含む。あるいは、パルス条件は、光ディスク上にマーク（情報の最小単位）を形成するためのレーザーパルスの条件を含んでいてもよい。光ディスク上にマークを形成する際にマークの前端から後端にかけて複数のパルスを光ディスクに照射する場合には、パルス条件は、そのマークの前端に対応する第１パルスの発生タイミングと、その第１パルスの長さと、その第１パルスのレーザー光の強度と、そのマークの後端に対応する最終パルスの発生タイミングと、その最終パルスの長さと、その最終パルスのレーザー光の強度とのうち少なくとも１つを含み、マークの長さに応じて定められている。または、マークの長さとそのマークの前後に配置されているスペースの長さとに応じて定められている。
あるいは、記録再生条件は、情報記録再生装置に含まれる各種回路の設定値またはその設定値を示すコード情報であってもよい。
【０００７】
このように、情報記録媒体のドライブ情報領域に記録された記録再生条件を再利用することにより、学習処理を簡素化することが可能になる。その結果、学習処理に要する時間を短縮することが可能となり、情報記録再生装置の待機時間を短縮することが可能となる。
【０００８】
以下、図面を参照しながら本発明の実施の形態を説明する。
【０００９】
（実施の形態１）
図１は、本発明の実施の形態１の情報記録媒体１０１の構造を示す。
光ディスク１０１には、複数のトラック１０２が同心円状に形成されている。あるいは、光ディスク１０１には、単一のトラック１０２がスパイラル状に形成されていてもよいし、複数のトラック１０２がスパイラル状に形成されていてもよい。
【００１０】
光ディスク１０１の領域は、リードイン領域１０３とデータ記録領域１０４とリードアウト領域１０５を含む。
リードイン領域１０３には、光ディスク１０１をアクセスするために必要とされる各種のパラメータが格納されている。リードイン領域１０３は、光ディスク１０１の最内周に配置される。
リードアウト領域１０５には、光ディスク１０１をアクセスするために必要とされる各種のパラメータが格納されていても良い。リードアウト領域１０５は、光ディスク１０１の最外周に配置される。
データの記録再生は、データ記録領域１０４に対して行われる。
【００１１】
図２は、図１に示される光ディスク１０１に配置されるリードイン領域、データ記録領域、リードアウト領域の構造を示す。
リードイン領域２０１は、光ディスク１０１の識別情報などの情報をトラックのウォブル形状、またはエンボスピット、またはウォブルしたエンボスピット等により記録したプリレコード領域２０４と、データを記録するデータ記録領域２０５を含む。
プリレコード領域２０４は、バッファとしてのプロテクト領域２０８と、光ディスク１０１の識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン２０９を含む。
【００１２】
データ記録領域２０５は、プリレコード領域２０４とデータ記録領域２０５のトラックピッチが異なる場合にトラックピッチの遷移領域として用いられることもできる、データを含まないプロテクト領域２１０と、将来の拡張のためのリザーブ領域２１１と、光ディスク１０１を検査するために利用されるテスト領域２１２と、バッファ領域２１３と、光ディスク１０１の様々な特性などの情報を格納するために利用されるドライブ領域２１４と、バッファ領域２１５とを含む。
データ記録領域２０２は、データを記録するデータ記録領域２０６を含み、データ記録領域２０６は、ユーザデータ等を記録するユーザデータ記録領域２１６を含む。
【００１３】
リードアウト領域２０３は、データを記録することができるデータ記録領域２０７を含み、データ記録領域２０７は、バッファ領域２１７と、将来の拡張のためのリザーブ領域２１８と、バッファ領域２１９と、データを含まないプロテクト領域２２０を含む。
ドライブ情報領域２１４は、たとえば２０４８個のＥＣＣブロック（クラスタ）から構成される。ＥＣＣブロックは、誤り訂正符号を計算するために使用される。誤り訂正符号は、ＥＣＣブロック単位に計算される。１つのＥＣＣブロックはたとえば３２セクタから構成される。
【００１４】
図３は、ＥＣＣブロックの構造の一例を示す。大容量の光ディスクの場合には、高い誤り訂正能力と低い冗長度とを両立させるために、１つのＥＣＣブロックは３２セクタから構成される。ただし、図３に示される例では、簡単のため、１つのＥＣＣブロックが４つのセクタから構成されると仮定する。
図３に示されるように、ＥＣＣブロックは、１７２バイト×４８行に配置されたメインデータと、メインデータの１行毎に（横方向に）誤り訂正符号を計算することによって得られる内符号パリティＰＩと、メインデータの１列毎に（縦方向に）誤り訂正符号を計算することによって得られる外符号パリティＰＯとを含む。
【００１５】
内符号パリティと外符号パリティとを含む符号は、一般的に積符号と呼ばれる。積符号は、ランダムエラーとバーストエラー（局所的に集中した誤り）の両方に強い誤り訂正方式である。例えば、ランダムエラーに加えて、引っ掻き傷で２行分のバーストエラーが発生した場合を考えてみる。バーストエラーは、外符号からみれば殆どが２バイト誤りなので訂正できる。ランダムエラーが多く存在した列は、外符号で訂正できずに誤りが残るが、この残った誤りは内符号によって大抵の場合訂正できる。内符号によっても誤りが残ったとしても、再び外符号で訂正すれば、さらに誤りの減らすことができる。ＤＶＤでは、このような積符号を採用したことによって、パリティの冗長度を抑えながら、十分な訂正能力が実現されている。言い換えれば、パリティの冗長度を抑えた分、ユーザデータの容量を高めることができている。
【００１６】
図３に示されるように、ＥＣＣブロックの外符号パリティは、１行ごとに各セクタに均等に配分されている。その結果、１つのセクタは、１８２バイト×１３行のデータから構成される。
光ディスク装置は、光ディスク装置に装着された光ディスク１０１に対してセクタ単位に記録または再生を行うことを命令されると、指定されたセクタを含むＥＣＣブロックを光ディスク１０１から再生して、誤り訂正を施した後、その指定されたセクタに相当するデータ部分だけを光ディスク１０１に記録する。光ディスク装置は、光ディスク装置に装着された光ディスク１０１に対してセクタ単位に記録を行うことを命令されると、指定されたセクタを含むＥＣＣブロックを光ディスク１０１から再生して、誤り訂正を施した後、その指定されたセクタに相当するデータ部分を記録すべきデータに置き換えて、誤り訂正符号を再計算して記録すべきデータに付け直し、その指定されたセクタを含むＥＣＣブロックを光ディスク１０１に記録する。
【００１７】
以下の説明において、クラスタとは上述したＥＣＣブロックを意味する。
図４は、図２に示されるドライブ情報領域２１４の構造を示す。
ドライブ情報領域２１４は、複数のクラスタ４０１ａを含む。例えば２０４８個のクラスタ４０１ａを含む。内周側からクラスタ＃１、クラスタ＃２・・クラスタ＃２０４８の順に配置される。各クラスタは、複数の、例えば３２個のセクタ４０１ｂを含む。内周側からセクタ＃１、セクタ＃２、・・・セクタ＃３２の順に配置される。ひとつのセクタは、ひとつのドライブ固有情報を記録するために必要な容量を有する。
【００１８】
ひとつのセクタに含まれるドライブ固有情報は、装着された光ディスク１０１にデータを記録再生するのに必要な光ディスク装置の動作条件を規定する。ドライブ固有情報は、光ディスク装置を製造したメーカーを識別するためのメーカー識別子４０２と、付属情報４０３と、そのメーカーにおいてその光ディスク装置を識別するためのシリアルナンバー等のドライブ識別子４０４と、必要なレーザーパワーレベル等の記録再生条件等を格納する情報格納領域４０５とを含む。情報格納領域４０５に格納される情報は、例えば、記録再生条件である。したがって、ドライブ固有情報を記録再生条件とも言う。情報格納領域４０５に格納される情報は記録再生条件以外の情報でもよいのは言うまでもない。
【００１９】
ディスクが新たな光ディスク装置に挿入される毎にひとつのドライブ固有情報が生成され、ディスクに記録される。なお、ディスクが以前に挿入されたことがある光ディスク装置に再度挿入された場合は、その光ディスク装置に対応するドライブ固有情報を読み出してドライブ情報として利用する。以前にそのディスクが挿入されたことがあるかどうかの判断は、ドライブ識別子４０４に同じものがあるかどうかを検出して行なう。また、たとえ以前にそのディスクが挿入されたことがあると、光ディスク装置で判断さらたとしても、記録する条件が異なれば、もう一度ドライブ固有情報を生成する様にしても良い。したがって、ひとつの光ディスク装置に対して、１以上のドライブ固有情報が規定され得る。
あるディスクについてはじめて生成されたドライブ固有情報をＤ（１）、２回目に生成されたドライブ固有情報をＤ（２）、ｎ回目に生成されたドライブ固有情報をＤ（ｎ）と表す。
【００２０】
図５、図６、図７、図８を用いて新たなドライブ固有情報が記録されるステップを説明する。
図５に示す様に、ある新品のディスクを光ディスク装置Ａに装着すると、はじめてドライブ固有情報Ｄ（１）が生成され、Ｄ（１）はクラスタ＃１のセクタ＃１に記録される。
【００２１】
図６に示す様に、同ディスクを２台目の光ディスク装置Ｂに装着すると、２つ目のドライブ固有情報Ｄ（２）が生成され、Ｄ（２）はクラスタ＃２のセクタ＃１に記録される。また、クラスタ＃１に記録されていた前回のドライブ固有情報Ｄ（１）は、クラスタ＃２のセクタ＃２にコピーされる。前回使用したクラスタ＃１はそのまま放置される。
【００２２】
図７に示す様に、同ディスクを３台目の光ディスク装置Ｃに装着すると、３つ目のドライブ固有情報Ｄ（３）が生成され、Ｄ（３）はクラスタ＃３のセクタ＃１に記録される。また、直前のクラスタ＃２に記録されていた前回までのドライブ固有情報、Ｄ（２），Ｄ（１）は、その順番で、クラスタ＃３のセクタ＃２、セクタ＃３にコピーされる。それまでに使用されたクラスタ＃１、＃２はそのまま放置される。
【００２３】
図８に示す様に、同ディスクを４台目の光ディスク装置Ｄに装着すると、４つ目のドライブ固有情報Ｄ（４）が生成され、Ｄ（４）はクラスタ＃４のセクタ＃１に記録される。また、直前のクラスタ＃３に記録されていた前回までのドライブ固有情報、Ｄ（３），Ｄ（２），Ｄ（１）は、その順番で、クラスタ＃４のセクタ＃２、セクタ＃３、セクタ＃４にコピーされる。それまでに使用されたクラスタ＃１、＃２、＃３はそのまま放置される。
【００２４】
図９に示す様に、同ディスクをｋ台目（ｋは正の整数）の光ディスク装置Ｋに装着すると（ｋ台目の光ディスク装置Ｋでなく、今までに装着したことがある光ディスク装置、たとえば光ディスク装置Ａの場合もあり得る。光ディスク装置Ａを所定期間（たとえば６ヶ月）以上使用していなかった場合や、光ディスク装置Ａの設定を変えた場合や、光ディスク装置Ａに設けた環境温度センサが前回の使用時と異なったレベルにあることを感知した場合などがある。）、ｋ回目のドライブ固有情報Ｄ（ｋ）が生成され、Ｄ（ｋ）はｋ番目のクラスタ＃ｋの先頭セクタ＃１に記録される。また、ｋ≦３２の場合は、直前にある(ｋ-１)番目のクラスタ＃（ｋ−１）に記録されていた前回までの全ドライブ固有情報Ｄ（ｋ−１）,・・・，Ｄ（２），Ｄ（１）は、その順番で、クラスタ＃ｋの先頭セクタに続く残りのセクタ＃２、セクタ＃３、・・・セクタ＃ｋにコピーされる。ｋ＞３２の場合（図９に示す場合）は、直前にある(ｋ-１)番目のクラスタ＃（ｋ−１）に記録されていた前回までのドライブ固有情報Ｄ（ｎ＋３０）,Ｄ（ｎ＋２９）・・・，Ｄ（ｎ＋１），Ｄ（ｎ）、（ただしｎ＝ｋ−３１）は、その順番で、クラスタ＃ｋの先頭セクタに続く残りのセクタ＃２、セクタ＃３、・・・セクタ＃ｋにコピーされる。Ｄ（ｎ−１）はセクタが満杯になっているので、コピーされない。それまでに使用されたクラスタ＃１、＃２、・・・＃（ｋ−１）はそのまま放置される。
【００２５】
図１０に示す様に、同ディスクを（ｋ＋１）台目の光ディスク装置Ｋ＋１に装着すると、（ｋ＋１）回目のドライブ固有情報Ｄ（ｋ＋１）（＝Ｄ（ｎ＋３２））が生成され、Ｄ（ｋ＋１）は（ｋ＋１）番目のクラスタ＃（ｋ＋１）の先頭セクタ＃１に記録される。また、直前にあるｋ番目のクラスタ＃ｋに記録されていた前回までのドライブ固有情報Ｄ（ｎ＋３１），Ｄ（ｎ＋３０）,Ｄ（ｎ＋２９）・・・，Ｄ（ｎ＋１）は、その順番で、クラスタ＃ｋの先頭セクタに続く残りのセクタ＃２、セクタ＃３、・・・セクタ＃ｋにコピーされる。Ｄ（ｎ）はセクタが満杯になっているので、コピーされない。それまでに使用されたクラスタ＃１、＃２、・・・＃ｋはそのまま放置される。
この様にして、ひとつのクラスタに３２個のドライブ固有情報である記録再生条件が記録可能である。ドライブ固有情報は、光ディスク１０１に記録された時刻の新しいものから古いものへの順序に配列されている。この場合、３２個のドライブ固有情報のうち光ディスク１０１に最も最近に記録されたドライブ固有情報は、クラスタの先頭のセクタに配置されており、３２個のドライブ固有情報のうち光ディスク１０１に最も古く記録されたドライブ固有情報は、クラスタ＃ｋの末尾のセクタに配置されている。
【００２６】
また、新たな学習処理により求められたドライブ固有情報である記録再生条件は、常に、クラスタ＃ｋの先頭の位置に記録される。これにより、ドライブ情報領域５０２に、常に最新の学習結果を示す３２個の記録再生条件を含むことが保証される。
また、ドライブ情報領域２１４はＮ個のＥＣＣブロック（クラスタ）から構成され得る。Ｎ個のＥＣＣブロック（クラスタ）のそれぞれは複数のセクタを含む。各クラスタ４０１ａに含まれる複数のドライブ固有情報のそれぞれは、その複数のセクタのうち対応する１つのセクタに記録されている。ここで、Ｎは１以上の任意の整数であり、たとえば２０４８である。
【００２７】
図１１に光ディスク装置のブロック図を示す。１０１は光ディスク、４はディスクが装着されたかどうかを検出するディスク検出装置、６はコントローラ、８は光ディスク装置の固有情報（光ディスク装置を製造したメーカーを識別するためのメーカー識別子４０２と、付属情報４０３と、そのメーカーにおいてその光ディスク装置を識別するためのシリアルナンバー等のドライブ識別子４０４）が予め記憶されているメモリ、１０はディスクの読み書きを行うドライブ装置である。
【００２８】
図１２に光ディスク装置の動作を示す。
ステップＳ１で、ディスク検出装置４により光ディスクの装着を検出する。
ステップＳ２で、装着されたディスクのリードイン領域のドライブ情報領域にアクセスする。
ステップＳ３で、先頭のクラスタから順番に記録済かどうかをチェックし、初めて現れる未記録のクラスタ（先頭未記録クラスタ）を検出する。
ステップＳ４で、先頭未記録クラスタの直前にある記録済のクラスタ（最終記録クラスタ）をデコードする。
ステップＳ５で、デコードした最終記録クラスタのセクタを先頭セクタから順番に読むために、セクタ番号ｍを１にリセットする。
ステップＳ６で、セクタｍ（ここではｍ＝１）を読む。
【００２９】
ステップＳ７で、光ディスク装置のメモリ８に記憶されているドライブ識別子を検出する（検出したドライブ識別子を検出識別子という）と共に、セクタｍに記録されているドライブ識別子（登録識別子という）を読み出し、検出ドライブ識別子と登録ドライブ識別子が一致するかどうかを判断する。一致する場合はステップＳ１３に進み、一致しない場合は、ステップＳ８に進む。
ステップＳ１３で、注目セクタ（ステップＳ７から入った場合は、最終記録クラスタのセクタｍ）の情報格納領域４０５に記憶されているドライブ制御情報を読み出し、それによりドライブ装置１０を設定する。ドライブ装置１０は、試し書きや試し読みを行うことなく、読み出されたドライブ制御情報に基づいてディスクの読み書きが可能となる。これにより、ディスク装着後、ディスクへの書き込み、読み出し開始時間を短縮することができる。
【００３０】
ステップＳ８で、セクタ番号ｍを１つインクリメントする。
ステップＳ９で、セクタ番号ｍが最大値ｍmaxより大きいかどうかを判断する。最大値ｍmaxは、たとえば３２である。セクタ番号ｍが最大値ｍmaxと等しいか小さければステップＳ６に戻り、ステップＳ７，Ｓ８を繰り返す。セクタ番号ｍが最大値ｍmaxより大きければステップＳ１０に進む。
ステップＳ１０で、テスト領域２１２を用い試し書きや試し読みが行われ、装着されたディスクに最適のパワーレベルを求め、光ディスク装置のドライブ固有情報を作成する。作成されたドライブ固有情報は、ディスクにとっては、その光ディスク装置から得られる初めてのドライブ固有情報となるので、新ドライブ固有情報と言う。
【００３１】
ステップＳ１１で、先頭未記録クラスタの先頭セクタ（セクタ＃１）に、新ドライブ固有情報を書きこむ。
ステップＳ１２で、先頭未記録クラスタの先頭セクタ以外のセクタ（セクタ＃２〜セクタ＃３２）に、最終記録クラスタの最終セクタ以外のセクタ（セクタ＃１〜セクタ＃３１）の情報をコピーする。
ステップＳ１３で、注目セクタ（ステップＳ１２から入った場合は、先頭未記録クラスタの先頭セクタ）の情報格納領域４０５に記憶されているドライブ制御情報によりドライブ装置１０を設定し、ディスクの読み書きを可能とする。
なお、新ドライブ固有情報が作成された場合は、その情報をセクタに記録する前にドライブ装置１０の設定を行っても良い。
【００３２】
以上より明らかなように、ひとつのディスクが同じ光ディスク装置に装着されると、光ディスク装置は、ドライブ情報領域２１４にアクセスし、クラスタを先頭から順番にチェックし、初めて現れる未記録のクラスタ（先頭未記録クラスタ）を検出し、その直前にある最終記録クラスタのセクタを最初から順番に読む。これにより、新しいドライブ固有情報から古いドライブ固有情報の順番で読み出すことができる。すなわち、最後に記憶されたドライブ固有情報が読み出し順番の先頭の位置にあるように配列されている。
以上の説明から明らかな様に、１回のドライブ固有情報の記録には、１つのクラスタが使用される。初回記録はクラスタ＃１が使用され、２回目記録はクラスタ＃２が使用され、というように内周から順に使用されていく。したがって、ｋ回記録した後には、クラスタ＃１からクラスタ＃ｋまでが記録済みの状態であり、最新の情報はクラスタ＃ｋに格納されている。
【００３３】
このように、ドライブ情報領域４０１を更新することにより、ドライブ情報領域４０１の最も最近に記録されたクラスタ＃ｋ＋１が常に最新の３２個の記録再生条件４０１ｂを含むことが保証されるので、この部分をはじめにドライブが読み出すことにより、使用できる記録再生条件があった場合には学習時間が短縮できる。
また、上述のように、ドライブ情報領域４０１の構造を、未記録の領域への追加記録により情報更新を行う構造とすることにより、書き換え型光ディスクだけでなく、１回記録のみ可能なＷｒｉｔｅ−ｏｎｃｅ型（追記型）の光ディスクにも使用できるという効果もある。
【００３４】
（実施の形態２）
図１３は、本発明の実施の形態２の片面２層型光ディスクの構造を示す。
図１３において、６０１は第１の基板、６０２は第１の記録層、６０３は接着樹脂などのスペース層、６０４は第２の記録層、６０５は第２の基板である。
図１３において、第２の基板６０５側からレーザ光を照射し、第１の記録層６０２および第２の記録層６０４にデータを記録、再生する。
第１の記録層６０２および第２の記録層６０４には、トラックがスパイラル状に形成されていてもよいし、複数のトラックがスパイラル状に形成されていてもよい。
【００３５】
図１４は、図１３に示される２層光ディスクに配置される領域の構造を示す。
第１記録層のプリレコード領域７０１ａは、２層光ディスクの識別情報などの情報をトラックのウォブル形状、またはエンボスピット、またはウォブルしたエンボスピット等により記録した領域である。
プリレコード領域７０１ａは、バッファとしてのプロテクト領域７０３ａと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン７０４ａを含む。
【００３６】
また、コントロールデータゾーン７０４ａが含む情報は、第１記録層に関する情報のみであっても良いし、第１記録層に関する情報と第２記録層に関する情報の両方であっても良い。
第２記録層のプリレコード領域７０１ｂは、第１記録層のプリレコード領域７０１ａと同じ半径位置に配置されている。
プリレコード領域７０１ｂは、バッファとしてのプロテクト領域７０３ｂと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン７０４ｂを含む。
【００３７】
また、コントロールデータゾーン７０４ｂが含む情報は、第２記録層に関する情報のみであっても良いし、第１記録層に関する情報と第２記録層に関する情報の両方であっても良い。コントロールデータゾーン７０４ａと７０５ａは同じ情報を有していてもよい。
第１記録層のデータ記録領域７０２ａは、データを含まないプロテクト領域７０５ａと、将来の拡張のためのリザーブ領域７０６ａと、光ディスクを検査するために利用されるテスト領域７０７ａと、バッファ領域７０８ａと、光ディスクの様々な特性などの情報を格納するために利用されるドライブ領域７０９ａと、バッファ領域７１０ａと、ユーザデータ等を記録するユーザデータ記録領域７１１ａと、バッファ領域７１２ａと、将来の拡張のためのリザーブ領域７１３ａと、バッファ領域７１４ａと、データを含まないプロテクト領域７１５ａを含む。プロテクト領域７０５ａは、プリレコード領域７０１ａとデータ記録領域７０２ａのトラックピッチが異なる場合にトラックピッチの遷移領域として用いられることもできる。
【００３８】
第２記録層のデータ記録領域７０２ｂは、プリレコード領域７０１ｂとデータ記録領域７０２ｂのトラックピッチが異なる場合にトラックピッチの遷移領域として用いられることもできる、データを含まないプロテクト領域７０５ｂを含み、プロテクト領域７０５ｂは、第１記録層のプロテクト領域７０５ａと同じ半径位置に配置されている。
また第２記録層のデータ記録領域７０２ｂは、光ディスクを検査するために利用されるテスト領域７０７ｂを含み、テスト領域７０７ｂは、第１記録層のリザーブ領域７０６ａと同じ半径位置に配置されるか、あるいは内周側半径位置が等しく配置されている。
【００３９】
また第２記録層のデータ記録領域７０２ｂは、将来の拡張のためのリザーブ領域７０６ｂを含み、リザーブ領域７０６ｂは、第１記録層のテスト領域７０７ａと同じ半径位置に配置されるか、あるいは外周側半径位置が等しく配置されている。
また第２記録層のデータ記録領域７０２ｂは、バッファ領域７０８ｂを含み、第１記録層のバッファ領域７０８ａと同じ半径位置に配置されている。
また第２記録層のデータ記録領域７０２ｂは、データをふくまないリザーブ領域７０９ｂを含み、第１記録層のドライブ領域領域７０９ａと同じ半径位置に配置されている。
【００４０】
また第２記録層のデータ記録領域７０２ｂは、バッファ領域７１０ｂと、ユーザデータ等を記録するユーザデータ記録領域７１１ｂと、バッファ領域７１２ｂと、将来の拡張のためのリザーブ領域７１３ｂと、バッファ領域７１４ｂと、データを含まないプロテクト領域７１５ｂを含み、それぞれ第１記録層のバッファ領域７１０ａと、ユーザデータ記録領域７１１ａと、バッファ領域７１２ａと、将来の拡張のためのリザーブ領域７１３ａと、バッファ領域７１４ａと、データを含まないプロテクト領域７１５ａと同じ半径位置に配置されている。
またディスクを回転させてトラックを追従して記録再生を行うときの方向は、第１記録層では内周から外周（矢印７１６ａ）であり、第２記録層では外周から内周（矢印７１６ｂ）である。
【００４１】
本構造をとることにより、コントロールデータゾーンが第１記録層、第２記録層の同半径位置に配置されているので、どちらかの層で読めば良く、識別情報の読み取りが早くなるというメリットがある。
また、ドライブ情報領域７０９ａと同じ半径位置にデータの記録されないリザーブ領域７０９ｂが配置されているので、常に一定の状態（ここでは未記録状態）の第２層を通してドライブ情報領域７０９ａを記録再生することができ、ドライブ情報の安定した記録再生ができるという効果がある。
また、本発明の構造により、テスト領域の少なくとも一部と同じ半径位置にデータの記録されないリザーブ領域が配置されているので、常に一定の状態（ここでは未記録状態）の他層を通して安定なテストができるという効果がある。
【００４２】
また、本実施の形態でのドライブ情報領域７０９ａの構造は、図４、図１６、図１７、図１８のいずれの構造であっても良いことは言うまでもない。
【００４３】
（実施の形態３）
本発明の実施の形態３の片面２層型光ディスクも図１３に示すディスク構造を有する。
【００４４】
図１５は、実施の形態３の２層光ディスクに配置される領域の構造を示す。
第１記録層のプリレコード領域８０１ａは、２層光ディスクの識別情報などの情報をトラックのウォブル形状、またはエンボスピット、またはウォブルしたエンボスピット等により記録した領域である。
プリレコード領域８０１ａは、バッファとしてのプロテクト領域８０３ａと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン８０４ａを含む。
【００４５】
また、コントロールデータゾーン８０４ａが含む情報は、第１記録層に関する情報のみであっても良いし、第１記録層に関する情報と第２記録層に関する情報の両方であっても良い。
第２記録層のプリレコード領域８０１ｂは、第１記録層のプリレコード領域８０１ａと同じ半径位置に配置されている。
プリレコード領域８０１ｂは、バッファとしてのプロテクト領域８０３ｂと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン８０４ｂを含む。
また、コントロールデータゾーン８０４ｂが含む情報は、第２記録層に関する情報のみであっても良いし、第１記録層に関する情報と第２記録層に関する情報の両方であっても良い。コントロールデータゾーン８０４ａと８０５ａは同じ情報を有していてもよい。
【００４６】
第１記録層のデータ記録領域８０２ａは、データを含まないプロテクト領域８０５ａと、バッファ領域８０６ａと、光ディスクの様々な特性などの情報を格納するために利用されるドライブ情報領域８０７ａと、バッファ領域８０８ａと、光ディスクを検査するために利用されるテスト領域８０９ａと、将来の拡張のためのリザーブ領域８１０ａと、ユーザデータ等を記録するユーザデータ記録領域８１１ａと、バッファ領域８１２ａと、将来の拡張のためのリザーブ領域８１３ａと、バッファ領域８１４ａと、データを含まないプロテクト領域８１５ａを含む。プロテクト領域８０５ａは、プリレコード領域８０１ａとデータ記録領域８０２ａのトラックピッチが異なる場合にトラックピッチの遷移領域として用いられることもできる。
【００４７】
第２記録層のデータ記録領域８０２ｂは、プリレコード領域８０１ｂとデータ記録領域８０２ｂのトラックピッチが異なる場合にトラックピッチの遷移領域として用いられることもできる、データを含まないプロテクト領域８０５ｂを含み、プロテクト領域８０５ｂは、第１記録層のプロテクト領域８０５ａと同じ半径位置に配置されている。
また第２記録層のデータ記録領域８０２ｂは、データをふくまないリザーブ領域８０７ｂを含み、第１記録層のドライブ情報領域８０７ａと同じ半径位置に配置されている。
【００４８】
また第２記録層のデータ記録領域８０２ｂは、将来の拡張のためのリザーブ領域８１０ｂを含み、リザーブ領域８１０ｂは、第１記録層のテスト領域８０９ａと同じ半径位置に配置されるか、あるいは内周側半径位置が等しく配置されている。
また第２記録層のデータ記録領域８０２ｂは、光ディスクを検査するために利用されるテスト領域８０９ｂを含み、テスト領域８０９ｂは、第１記録層のリザーブ領域８１０ａと同じ半径位置に配置されるか、あるいは外周側半径位置が等しく配置されている。
また第２記録層のデータ記録領域８０２ｂは、ユーザデータ等を記録するユーザデータ記録領域８１１ｂと、バッファ領域８１２ｂと、将来の拡張のためのリザーブ領域８１３ｂと、バッファ領域８１４ｂと、データを含まないプロテクト領域８１５ｂを含み、それぞれ第１記録層のユーザデータ記録領域８１１ａと、バッファ領域８１２ａと、将来の拡張のためのリザーブ領域８１３ａと、バッファ領域８１４ａと、データを含まないプロテクト領域８１５ａと同じ半径位置に配置されている。
【００４９】
またディスクを回転させてトラックを追従して記録再生を行うときの方向は、第１記録層では内周から外周（矢印８１６ａ）であり、第２記録層では外周から内周（矢印８１６ｂ）である。
本構造をとることにより、コントロールデータゾーンが第１記録層、第２記録層の同半径位置に配置されているので、どちらかの層で読めば良く、識別情報の読み取りが早くなるというメリットがある。
【００５０】
また、ドライブ情報領域８０７ａと同じ半径位置にデータの記録されないリザーブ領域８０７ｂが配置されているので、常に一定の状態（ここでは未記録状態）の第２層を通してドライブ情報領域８０７ａを記録再生することができ、ドライブ情報の安定した記録再生ができるという効果がある。
また、本発明の構造により、テスト領域の少なくとも一部と同じ半径位置にデータの記録されないリザーブ領域が配置されているので、常に一定の状態（ここでは未記録状態）の他層を通して安定なテストができるという効果がある。
【００５１】
また、本実施の形態でのドライブ情報領域８０７ａの構造は、図４、図１６，図１７，図１８のいずれの構造であっても良いことは言うまでもない。
【００５２】
（実施の形態４）
図１６は、本発明の実施の形態４であるところの、図２に示されるドライブ情報領域２１４の構造を示す。図１７、図１８は、それぞれ変形例を示す。
図１６において、各クラスタは、複数（たとえば３２個）のセクタで構成され、セクタにドライブ固有情報が記録されるのは、実施の形態１と同様である。実施の形態４においては、ドライブ固有情報に加えてひとつのディスク固有情報Ｓ（ｉ）がセクタに記録される。
【００５３】
ディスク固有情報Ｓ（ｉ）は、ユーザデータが記録されている最終アドレス、使用済みのテスト領域の最終アドレスなどを含む。クラスタ＃１のセクタ＃１にドライブ固有情報Ｄ（１）を記録し、ユーザーデータを記録した後の最終アドレス情報、および使用済みのテスト領域の最終アドレス情報がディスク固有情報Ｓ（１）としてクラスタ＃１のセクタ＃２に記録される。
同ディスクが２台目の光ディスク装置に装着されると、クラスタ＃２のセクタ＃１、セクタ＃２にそれぞれドライブ固有情報Ｄ（２）、Ｄ（１）を記録し、更に、セクタ＃３にユーザーデータを更に記録した後の更新最終アドレス情報、および使用済みのテスト領域の更新最終アドレス情報がディスク固有情報Ｓ（２）として記録される。
【００５４】
このように、各クラスタにおいて、ひとつのセクタを、ディスク固有情報を記録するために用いる。ディスク固有情報を記憶するセクタは、各クラスタの記憶済セクタの最後のセクタに記憶しても良いし（図１６の場合）、各クラスタの先頭セクタに記憶しても良い（図１７の場合）。また、別のセクタに記憶しても良い。
ディスク固有情報は、新ドライブ固有情報が加わるごとに更新するようにしても良いし、又は、所定量のユーザデータ領域が記憶される毎に更新するようにしても良い。所定量のユーザデータ領域が記憶される毎に更新する場合を図１８に示す。
【００５５】
図１８において、ディスクが２台目の光ディスク装置に装着されると、クラスタ＃２のセクタ＃２、セクタ＃３にそれぞれドライブ固有情報Ｄ（２）、Ｄ（１）を記録し、更に、セクタ＃１にユーザーデータを記録した後の更新最終アドレス情報、および使用済みのテスト領域の更新最終アドレス情報がディスク固有情報Ｓ（２）として記録される。その後、同じ光ディスク装置を用いて所定量Ｆのユーザーデータが記録されれば、クラスタ＃３のセクタ＃２、セクタ＃３にそれぞれドライブ固有情報Ｄ（２）、Ｄ（１）のデータをクラスタ＃２からコピーし、クラスタ＃３のセクタ＃１に更新したディスク固有情報Ｓ（３）を記憶する。
所定量Ｆは、クラスタ数をＧ（たとえばＧ＝２０４８）、ユーザデータ領域の容量をＳとすると、Ｆ＝２Ｓ／Ｇとすることができる。この場合、１台の光ディスク装置を用いてユーザデータ領域を全面記録したとしても、ディスク固有情報Ｓ（ｉ）の更新回数は、Ｇ／２になり、ドライブ情報領域にはまだ半分のクラスタが残ることとなり、余裕を持ってクラスタを利用することができる。Ｆ＝ｈ・Ｓ／Ｇ（ｈは１より大きい正数）で選ぶことができる。たとえばＦ＝Ｓ／Ｇ、Ｆ＝３Ｓ／Ｇ、Ｆ＝４Ｓ／Ｇ、Ｆ＝５Ｓ／Ｇのいずれかであっても良い。
図１７において、ドライブ固有情報Ｄ（ｎ）が３１個まで増えると、Ｄ（１）からＤ（３１）は、セクタ＃３２からセクタ＃２に、光ディスク１０１に記録された時刻の順序に配列され、一番新しいＤ（３１）がセクタ＃２に配置される様に、記憶される。セクタ＃１にはディスク固有情報Ｓ（ｉ）が記憶される。
また、上述のように、ドライブ情報領域９０１の構造を、未記録の領域への追加記録により情報更新を行う構造とすることにより、書き換え型光ディスクだけでなく、１回記録のみ可能なＷｒｉｔｅ−ｏｎｃｅ型（追記型）の光ディスクにも使用できるという効果もある。
【００５６】
また、ユーザデータが記録されている最終アドレス、使用済みのテスト領域の最終アドレスなどを含むディスク固有情報を記録することにより、追記記録時の未記録領域へのアクセス、未使用のテスト領域へのアクセスが早くなる効果もある。
また、ドライブ固有情報とディスク固有情報の両方が１つのクラスタ（ＥＣＣブロック）内に記録される構造であるので、ドライブ固有情報とディスク固有情報の両方を更新する場合においても、１つのクラスタのみを更新すれば良いので、ドライブ情報領域を効率的に使用できるという効果があり、特に１回記録のみ可能なＷｒｉｔｅ−ｏｎｃｅ型（追記型）の光ディスクにおいて効果が大きい。
本発明の光ディスクによれば、複数の記録再生条件は、光ディスクに記録された時刻の順序に配列されている。これにより、ドライブ情報が常に最新の記録再生条件を含んでいることが保証される。
【００５７】
また、本発明の多層光ディスクによれば、ドライブ情報領域の存在する半径位置の他の層は未記録状態であり、ドライブ情報の安定な読み出しが保証される。
なお、優先権主張の基礎出願である日本出願、２００２−１９２１９２と２００２−３１００９４は、これらをここで引用することにより、本願の開示の一部とする。
【００５８】
【発明の効果】
本発明の光ディスクによれば、複数の記録再生条件は、光ディスクに記録された時刻の順序に配列されている。これにより、ドライブ情報が常に最新の記録再生条件を含んでいることが保証される。
また、本発明の多層光ディスクによれば、ドライブ情報領域の存在する半径位置の他の層は未記録状態であり、ドライブ情報の安定な読み出しが保証される。
【図面の簡単な説明】
【図１】本発明の実施の形態１の光ディスク１０１の構造を示す図である。
【図２】図１に示される光ディスクの領域構造を示す図である。
【図３】ＥＣＣブロックの一例を示す構造図である。
【図４】ドライブ情報領域の構造を示す図である。
【図５】ドライブ情報領域のデータ配置を示す図である。
【図６】ドライブ情報領域のデータ配置を示す図である。
【図７】ドライブ情報領域のデータ配置を示す図である。
【図８】ドライブ情報領域のデータ配置を示す図である。
【図９】ドライブ情報領域のデータ配置を示す図である。
【図１０】ドライブ情報領域のデータ配置を示す図である。
【図１１】光ディスク記録装置のブロック図である。
【図１２】光ディスク記録装置の動作を示すフローチャートである。
【図１３】２層光ディスクの構造を示す図である。
【図１４】本発明の実施の形態２の光ディスクの領域構造を示す図である。
【図１５】本発明の実施の形態３の光ディスクの領域構造を示す図である。
【図１６】ドライブ情報領域のデータ配置を示す図である。
【図１７】ドライブ情報領域のデータ配置を示す図である。
【図１８】ドライブ情報領域のデータ配置を示す図である。
【手続補正２】
【補正対象書類名】図面
【補正対象項目名】全図
【補正方法】変更
【補正の内容】
【図１】
2004003897.tif 000021
【図２】
2004003897.tif 000022
【図３】
2004003897.tif 000023
【図４】
2004003897.tif 000024
【図５】
2004003897.tif 000025
【図６】
2004003897.tif 000026
【図７】
2004003897.tif 000027
【図８】
2004003897.tif 000028
【図９】
2004003897.tif 000029
【図１０】
2004003897.tif 000030
【図１１】
2004003897.tif 000031
【図１２】
2004003897.tif 000032
【図１３】
2004003897.tif 000033
【図１４】
2004003897.tif 000034
【図１５】
2004003897.tif 000035
【図１６】
2004003897.tif 000036
【図１７】
2004003897.tif 000037
【図１８】
2004003897.tif 000038
【手続補正書】
【提出日】平成17年6月16日(2005.6.16)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【書類名】明細書
【技術分野】
【０００１】
本発明は、複数の記録再生条件等を含むドライブ情報を記録するためのドライブ情報領域を備えた光ディスク、光ディスクの記録装置、光ディスクの記録方法に関する。
【背景技術】
【０００２】
近年、光ディスクの高密度化、大容量化が進んでおり、光ディスクの信頼性を確保することが重要になっている。この信頼性を確保するため、光ディスク装置は、記録再生条件を求める学習処理を行っている。この内容は、例えば特開２００１−３３８４２２号公報に開示されている。
【発明の開示】
【発明が解決しようとする課題】
【０００３】
記録再生条件は、光ディスクの特性および光ディスク装置の特性に大きく依存する。このため、記録再生条件を求める学習処理は、光ディスク装置に光ディスクを装着した後、光ディスク装置を起動する度に、あるいは、温度変化などの要因により光ディスクの特性または光ディスク装置の特性が変化する度に、繰り返し行われる必要がある。
最近では、光ディスクの更なる高密度化、大容量化が進み、より精密な記録再生条件を求める必要性が生じている。しかし、より精密な記録再生条件を求めるには、学習処理に長い時間を要する。その結果、光ディスク装置の待機時間が長くなるという問題点があった。
本発明は、上記問題点に鑑みてなされたものであり、記録再生条件を求める学習処理に要する時間を短縮することが可能な光ディスクを提供することを目的とする。
【課題を解決するための手段】
【０００４】
本発明の光ディスクは、データを記録するためのデータ記録領域と、ドライブ情報を記録するためのドライブ情報領域とを備えた光ディスクであって、前記ドライブ情報は、複数の記録再生条件を含み、前記複数の記録再生条件は、前記情報記録媒体に記録された時刻の順序に配列されており、これにより、上記目的が達成される。
また、本発明の光ディスクは、読み出し光の入射面が同一である複数の記録層を有し、前記記録層のうちひとつの層にドライブ情報を記録するためのドライブ情報領域を備え、他の記録層の前記ドライブ情報領域と同じ半径位置の部分は未記録状態が配置されており、これにより、上記目的が達成される。
【発明の効果】
【０００５】
本発明の光ディスクによれば、複数の記録再生条件は、光ディスクに記録された時刻の順序に配列されている。これにより、ドライブ情報が常に最新の記録再生条件を含んでいることが保証される。
また、本発明の多層光ディスクによれば、ドライブ情報領域の存在する半径位置の他の層は未記録状態であり、ドライブ情報の安定な読み出しが保証される。
【発明を実施するための最良の形態】
【０００６】
本発明の情報記録媒体は、記録再生条件等のドライブ固有情報を記録するためのドライブ情報領域を有している。情報記録再生装置は、学習処理を実行することにより記録再生条件を求め、その記録再生条件を情報記録媒体のドライブ情報領域に記録する。情報記録媒体のドライブ情報領域に記録された記録再生条件は、次回の学習処理が実行される際に読み出され、新たな記録再生条件を求めるために利用される。
ここで、記録再生条件とは、光ディスク装置が光ディスクに情報を記録し、または、光ディスクに記録された情報を再生する際の光ディスク装置の動作条件をいう。
【０００７】
記録再生条件は、光ディスクに照射されるレーザーパルスに関するパルス条件と、記録再生時の各種サーボの動作を決定するサーボ条件と、再生信号を処理するための再生信号処理条件とのうち少なくとも１つを含む。
パルス条件は、例えば、記録時に光ディスクに照射されるレーザーパルスのパワー値を含む。あるいは、パルス条件は、光ディスク上にマーク（情報の最小単位）を形成するためのレーザーパルスの条件を含んでいてもよい。光ディスク上にマークを形成する際にマークの前端から後端にかけて複数のパルスを光ディスクに照射する場合には、パルス条件は、そのマークの前端に対応する第１パルスの発生タイミングと、その第１パルスの長さと、その第１パルスのレーザー光の強度と、そのマークの後端に対応する最終パルスの発生タイミングと、その最終パルスの長さと、その最終パルスのレーザー光の強度とのうち少なくとも１つを含み、マークの長さに応じて定められている。または、マークの長さとそのマークの前後に配置されているスペースの長さとに応じて定められている。
あるいは、記録再生条件は、情報記録再生装置に含まれる各種回路の設定値またはその設定値を示すコード情報であってもよい。
【０００８】
このように、情報記録媒体のドライブ情報領域に記録された記録再生条件を再利用することにより、学習処理を簡素化することが可能になる。その結果、学習処理に要する時間を短縮することが可能となり、情報記録再生装置の待機時間を短縮することが可能となる。
【０００９】
以下、図面を参照しながら本発明の実施の形態を説明する。
【００１０】
（実施の形態１）
図１は、本発明の実施の形態１の情報記録媒体１０１の構造を示す。
光ディスク１０１には、複数のトラック１０２が同心円状に形成されている。あるいは、光ディスク１０１には、単一のトラック１０２がスパイラル状に形成されていてもよいし、複数のトラック１０２がスパイラル状に形成されていてもよい。
【００１１】
光ディスク１０１の領域は、リードイン領域１０３とデータ記録領域１０４とリードアウト領域１０５を含む。
リードイン領域１０３には、光ディスク１０１をアクセスするために必要とされる各種のパラメータが格納されている。リードイン領域１０３は、光ディスク１０１の最内周に配置される。
リードアウト領域１０５には、光ディスク１０１をアクセスするために必要とされる各種のパラメータが格納されていても良い。リードアウト領域１０５は、光ディスク１０１の最外周に配置される。
データの記録再生は、データ記録領域１０４に対して行われる。
【００１２】
図２は、図１に示される光ディスク１０１に配置されるリードイン領域、データ記録領域、リードアウト領域の構造を示す。
リードイン領域２０１は、光ディスク１０１の識別情報などの情報をトラックのウォブル形状、またはエンボスピット、またはウォブルしたエンボスピット等により記録したプリレコード領域２０４と、データを記録するデータ記録領域２０５を含む。
プリレコード領域２０４は、バッファとしてのプロテクト領域２０８と、光ディスク１０１の識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン２０９を含む。
【００１３】
データ記録領域２０５は、プリレコード領域２０４とデータ記録領域２０５のトラックピッチが異なる場合にトラックピッチの遷移領域として用いられることもできる、データを含まないプロテクト領域２１０と、将来の拡張のためのリザーブ領域２１１と、光ディスク１０１を検査するために利用されるテスト領域２１２と、バッファ領域２１３と、光ディスク１０１の様々な特性などの情報を格納するために利用されるドライブ領域２１４と、バッファ領域２１５とを含む。
データ記録領域２０２は、データを記録するデータ記録領域２０６を含み、データ記録領域２０６は、ユーザデータ等を記録するユーザデータ記録領域２１６を含む。
【００１４】
リードアウト領域２０３は、データを記録することができるデータ記録領域２０７を含み、データ記録領域２０７は、バッファ領域２１７と、将来の拡張のためのリザーブ領域２１８と、バッファ領域２１９と、データを含まないプロテクト領域２２０を含む。
ドライブ情報領域２１４は、たとえば２０４８個のＥＣＣブロック（クラスタ）から構成される。ＥＣＣブロックは、誤り訂正符号を計算するために使用される。誤り訂正符号は、ＥＣＣブロック単位に計算される。１つのＥＣＣブロックはたとえば３２セクタから構成される。
【００１５】
図３は、ＥＣＣブロックの構造の一例を示す。大容量の光ディスクの場合には、高い誤り訂正能力と低い冗長度とを両立させるために、１つのＥＣＣブロックは３２セクタから構成される。ただし、図３に示される例では、簡単のため、１つのＥＣＣブロックが４つのセクタから構成されると仮定する。
図３に示されるように、ＥＣＣブロックは、１７２バイト×４８行に配置されたメインデータと、メインデータの１行毎に（横方向に）誤り訂正符号を計算することによって得られる内符号パリティＰＩと、メインデータの１列毎に（縦方向に）誤り訂正符号を計算することによって得られる外符号パリティＰＯとを含む。
【００１６】
内符号パリティと外符号パリティとを含む符号は、一般的に積符号と呼ばれる。積符号は、ランダムエラーとバーストエラー（局所的に集中した誤り）の両方に強い誤り訂正方式である。例えば、ランダムエラーに加えて、引っ掻き傷で２行分のバーストエラーが発生した場合を考えてみる。バーストエラーは、外符号からみれば殆どが２バイト誤りなので訂正できる。ランダムエラーが多く存在した列は、外符号で訂正できずに誤りが残るが、この残った誤りは内符号によって大抵の場合訂正できる。内符号によっても誤りが残ったとしても、再び外符号で訂正すれば、さらに誤りの減らすことができる。ＤＶＤでは、このような積符号を採用したことによって、パリティの冗長度を抑えながら、十分な訂正能力が実現されている。言い換えれば、パリティの冗長度を抑えた分、ユーザデータの容量を高めることができている。
【００１７】
図３に示されるように、ＥＣＣブロックの外符号パリティは、１行ごとに各セクタに均等に配分されている。その結果、１つのセクタは、１８２バイト×１３行のデータから構成される。
光ディスク装置は、光ディスク装置に装着された光ディスク１０１に対してセクタ単位に記録または再生を行うことを命令されると、指定されたセクタを含むＥＣＣブロックを光ディスク１０１から再生して、誤り訂正を施した後、その指定されたセクタに相当するデータ部分だけを光ディスク１０１に記録する。光ディスク装置は、光ディスク装置に装着された光ディスク１０１に対してセクタ単位に記録を行うことを命令されると、指定されたセクタを含むＥＣＣブロックを光ディスク１０１から再生して、誤り訂正を施した後、その指定されたセクタに相当するデータ部分を記録すべきデータに置き換えて、誤り訂正符号を再計算して記録すべきデータに付け直し、その指定されたセクタを含むＥＣＣブロックを光ディスク１０１に記録する。
【００１８】
以下の説明において、クラスタとは上述したＥＣＣブロックを意味する。
図４は、図２に示されるドライブ情報領域２１４の構造を示す。
ドライブ情報領域２１４は、複数のクラスタ４０１ａを含む。例えば２０４８個のクラスタ４０１ａを含む。内周側からクラスタ＃１、クラスタ＃２・・クラスタ＃２０４８の順に配置される。各クラスタは、複数の、例えば３２個のセクタ４０１ｂを含む。内周側からセクタ＃１、セクタ＃２、・・・セクタ＃３２の順に配置される。ひとつのセクタは、ひとつのドライブ固有情報を記録するために必要な容量を有する。
【００１９】
ひとつのセクタに含まれるドライブ固有情報は、装着された光ディスク１０１にデータを記録再生するのに必要な光ディスク装置の動作条件を規定する。ドライブ固有情報は、光ディスク装置を製造したメーカーを識別するためのメーカー識別子４０２と、付属情報４０３と、そのメーカーにおいてその光ディスク装置を識別するためのシリアルナンバー等のドライブ識別子４０４と、必要なレーザーパワーレベル等の記録再生条件等を格納する情報格納領域４０５とを含む。情報格納領域４０５に格納される情報は、例えば、記録再生条件である。したがって、ドライブ固有情報を記録再生条件とも言う。情報格納領域４０５に格納される情報は記録再生条件以外の情報でもよいのは言うまでもない。
【００２０】
ディスクが新たな光ディスク装置に挿入される毎にひとつのドライブ固有情報が生成され、ディスクに記録される。なお、ディスクが以前に挿入されたことがある光ディスク装置に再度挿入された場合は、その光ディスク装置に対応するドライブ固有情報を読み出してドライブ情報として利用する。以前にそのディスクが挿入されたことがあるかどうかの判断は、ドライブ識別子４０４に同じものがあるかどうかを検出して行なう。また、たとえ以前にそのディスクが挿入されたことがあると、光ディスク装置で判断されたとしても、記録する条件が異なれば、もう一度ドライブ固有情報を生成する様にしても良い。したがって、ひとつの光ディスク装置に対して、１以上のドライブ固有情報が規定され得る。
あるディスクについてはじめて生成されたドライブ固有情報をＤ（１）、２回目に生成されたドライブ固有情報をＤ（２）、ｎ回目に生成されたドライブ固有情報をＤ（ｎ）と表す。
【００２１】
図５、図６、図７、図８を用いて新たなドライブ固有情報が記録されるステップを説明する。
図５に示す様に、ある新品のディスクを光ディスク装置Ａに装着すると、はじめてドライブ固有情報Ｄ（１）が生成され、Ｄ（１）はクラスタ＃１のセクタ＃１に記録される。
【００２２】
図６に示す様に、同ディスクを２台目の光ディスク装置Ｂに装着すると、２つ目のドライブ固有情報Ｄ（２）が生成され、Ｄ（２）はクラスタ＃２のセクタ＃１に記録される。また、クラスタ＃１に記録されていた前回のドライブ固有情報Ｄ（１）は、クラスタ＃２のセクタ＃２にコピーされる。前回使用したクラスタ＃１はそのまま放置される。
【００２３】
図７に示す様に、同ディスクを３台目の光ディスク装置Ｃに装着すると、３つ目のドライブ固有情報Ｄ（３）が生成され、Ｄ（３）はクラスタ＃３のセクタ＃１に記録される。また、直前のクラスタ＃２に記録されていた前回までのドライブ固有情報、Ｄ（２），Ｄ（１）は、その順番で、クラスタ＃３のセクタ＃２、セクタ＃３にコピーされる。それまでに使用されたクラスタ＃１、＃２はそのまま放置される。
【００２４】
図８に示す様に、同ディスクを４台目の光ディスク装置Ｄに装着すると、４つ目のドライブ固有情報Ｄ（４）が生成され、Ｄ（４）はクラスタ＃４のセクタ＃１に記録される。また、直前のクラスタ＃３に記録されていた前回までのドライブ固有情報、Ｄ（３），Ｄ（２），Ｄ（１）は、その順番で、クラスタ＃４のセクタ＃２、セクタ＃３、セクタ＃４にコピーされる。それまでに使用されたクラスタ＃１、＃２、＃３はそのまま放置される。
【００２５】
図９に示す様に、同ディスクをｋ台目（ｋは正の整数）の光ディスク装置Ｋに装着すると（ｋ台目の光ディスク装置Ｋでなく、今までに装着したことがある光ディスク装置、たとえば光ディスク装置Ａの場合もあり得る。光ディスク装置Ａを所定期間（たとえば６ヶ月）以上使用していなかった場合や、光ディスク装置Ａの設定を変えた場合や、光ディスク装置Ａに設けた環境温度センサが前回の使用時と異なったレベルにあることを感知した場合などがある。）、ｋ回目のドライブ固有情報Ｄ（ｋ）が生成され、Ｄ（ｋ）はｋ番目のクラスタ＃ｋの先頭セクタ＃１に記録される。また、ｋ≦３２の場合は、直前にある(ｋ-１)番目のクラスタ＃（ｋ−１）に記録されていた前回までの全ドライブ固有情報Ｄ（ｋ−１）,・・・，Ｄ（２），Ｄ（１）は、その順番で、クラスタ＃ｋの先頭セクタに続く残りのセクタ＃２、セクタ＃３、・・・セクタ＃ｋにコピーされる。ｋ＞３２の場合（図９に示す場合）は、直前にある(ｋ-１)番目のクラスタ＃（ｋ−１）に記録されていた前回までのドライブ固有情報Ｄ（ｎ＋３０）,Ｄ（ｎ＋２９）・・・，Ｄ（ｎ＋１），Ｄ（ｎ）、（ただしｎ＝ｋ−３１）は、その順番で、クラスタ＃ｋの先頭セクタに続く残りのセクタ＃２、セクタ＃３、・・・セクタ＃ｋにコピーされる。Ｄ（ｎ−１）はセクタが満杯になっているので、コピーされない。それまでに使用されたクラスタ＃１、＃２、・・・＃（ｋ−１）はそのまま放置される。
【００２６】
図１０に示す様に、同ディスクを（ｋ＋１）台目の光ディスク装置Ｋ＋１に装着すると、（ｋ＋１）回目のドライブ固有情報Ｄ（ｋ＋１）（＝Ｄ（ｎ＋３２））が生成され、Ｄ（ｋ＋１）は（ｋ＋１）番目のクラスタ＃（ｋ＋１）の先頭セクタ＃１に記録される。また、直前にあるｋ番目のクラスタ＃ｋに記録されていた前回までのドライブ固有情報Ｄ（ｎ＋３１），Ｄ（ｎ＋３０）,Ｄ（ｎ＋２９）・・・，Ｄ（ｎ＋１）は、その順番で、クラスタ＃ｋの先頭セクタに続く残りのセクタ＃２、セクタ＃３、・・・セクタ＃ｋにコピーされる。Ｄ（ｎ）はセクタが満杯になっているので、コピーされない。それまでに使用されたクラスタ＃１、＃２、・・・＃ｋはそのまま放置される。
この様にして、ひとつのクラスタに３２個のドライブ固有情報である記録再生条件が記録可能である。ドライブ固有情報は、光ディスク１０１に記録された時刻の新しいものから古いものへの順序に配列されている。この場合、３２個のドライブ固有情報のうち光ディスク１０１に最も最近に記録されたドライブ固有情報は、クラスタの先頭のセクタに配置されており、３２個のドライブ固有情報のうち光ディスク１０１に最も古く記録されたドライブ固有情報は、クラスタ＃ｋの末尾のセクタに配置されている。
【００２７】
また、新たな学習処理により求められたドライブ固有情報である記録再生条件は、常に、クラスタ＃ｋの先頭の位置に記録される。これにより、ドライブ情報領域５０２に、常に最新の学習結果を示す３２個の記録再生条件を含むことが保証される。
また、ドライブ情報領域２１４はＮ個のＥＣＣブロック（クラスタ）から構成され得る。Ｎ個のＥＣＣブロック（クラスタ）のそれぞれは複数のセクタを含む。各クラスタ４０１ａに含まれる複数のドライブ固有情報のそれぞれは、その複数のセクタのうち対応する１つのセクタに記録されている。ここで、Ｎは１以上の任意の整数であり、たとえば２０４８である。
【００２８】
図１１に光ディスク装置のブロック図を示す。１０１は光ディスク、４はディスクが装着されたかどうかを検出するディスク検出装置、６はコントローラ、８は光ディスク装置の固有情報（光ディスク装置を製造したメーカーを識別するためのメーカー識別子４０２と、付属情報４０３と、そのメーカーにおいてその光ディスク装置を識別するためのシリアルナンバー等のドライブ識別子４０４）が予め記憶されているメモリ、１０はディスクの読み書きを行うドライブ装置である。
【００２９】
図１２に光ディスク装置の動作を示す。
ステップＳ１で、ディスク検出装置４により光ディスクの装着を検出する。
ステップＳ２で、装着されたディスクのリードイン領域のドライブ情報領域にアクセスする。
ステップＳ３で、先頭のクラスタから順番に記録済かどうかをチェックし、初めて現れる未記録のクラスタ（先頭未記録クラスタ）を検出する。
ステップＳ４で、先頭未記録クラスタの直前にある記録済のクラスタ（最終記録クラスタ）をデコードする。
ステップＳ５で、デコードした最終記録クラスタのセクタを先頭セクタから順番に読むために、セクタ番号ｍを１にリセットする。
ステップＳ６で、セクタｍ（ここではｍ＝１）を読む。
【００３０】
ステップＳ７で、光ディスク装置のメモリ８に記憶されているドライブ識別子を検出する（検出したドライブ識別子を検出識別子という）と共に、セクタｍに記録されているドライブ識別子（登録識別子という）を読み出し、検出ドライブ識別子と登録ドライブ識別子が一致するかどうかを判断する。一致する場合はステップＳ１３に進み、一致しない場合は、ステップＳ８に進む。
ステップＳ１３で、注目セクタ（ステップＳ７から入った場合は、最終記録クラスタのセクタｍ）の情報格納領域４０５に記憶されているドライブ制御情報を読み出し、それによりドライブ装置１０を設定する。ドライブ装置１０は、試し書きや試し読みを行うことなく、読み出されたドライブ制御情報に基づいてディスクの読み書きが可能となる。これにより、ディスク装着後、ディスクへの書き込み、読み出し開始時間を短縮することができる。
【００３１】
ステップＳ８で、セクタ番号ｍを１つインクリメントする。
ステップＳ９で、セクタ番号ｍが最大値ｍmaxより大きいかどうかを判断する。最大値ｍmaxは、たとえば３２である。セクタ番号ｍが最大値ｍmaxと等しいか小さければステップＳ６に戻り、ステップＳ７，Ｓ８を繰り返す。セクタ番号ｍが最大値ｍmaxより大きければステップＳ１０に進む。
ステップＳ１０で、テスト領域２１２を用い試し書きや試し読みが行われ、装着されたディスクに最適のパワーレベルを求め、光ディスク装置のドライブ固有情報を作成する。作成されたドライブ固有情報は、ディスクにとっては、その光ディスク装置から得られる初めてのドライブ固有情報となるので、新ドライブ固有情報と言う。
【００３２】
ステップＳ１１で、先頭未記録クラスタの先頭セクタ（セクタ＃１）に、新ドライブ固有情報を書きこむ。
ステップＳ１２で、先頭未記録クラスタの先頭セクタ以外のセクタ（セクタ＃２〜セクタ＃３２）に、最終記録クラスタの最終セクタ以外のセクタ（セクタ＃１〜セクタ＃３１）の情報をコピーする。
ステップＳ１３で、注目セクタ（ステップＳ１２から入った場合は、先頭未記録クラスタの先頭セクタ）の情報格納領域４０５に記憶されているドライブ制御情報によりドライブ装置１０を設定し、ディスクの読み書きを可能とする。
なお、新ドライブ固有情報が作成された場合は、その情報をセクタに記録する前にドライブ装置１０の設定を行っても良い。
【００３３】
以上より明らかなように、ひとつのディスクが同じ光ディスク装置に装着されると、光ディスク装置は、ドライブ情報領域２１４にアクセスし、クラスタを先頭から順番にチェックし、初めて現れる未記録のクラスタ（先頭未記録クラスタ）を検出し、その直前にある最終記録クラスタのセクタを最初から順番に読む。これにより、新しいドライブ固有情報から古いドライブ固有情報の順番で読み出すことができる。すなわち、最後に記憶されたドライブ固有情報が読み出し順番の先頭の位置にあるように配列されている。
以上の説明から明らかな様に、１回のドライブ固有情報の記録には、１つのクラスタが使用される。初回記録はクラスタ＃１が使用され、２回目記録はクラスタ＃２が使用され、というように内周から順に使用されていく。したがって、ｋ回記録した後には、クラスタ＃１からクラスタ＃ｋまでが記録済みの状態であり、最新の情報はクラスタ＃ｋに格納されている。
【００３４】
このように、ドライブ情報領域４０１を更新することにより、ドライブ情報領域４０１の最も最近に記録されたクラスタ＃ｋ＋１が常に最新の３２個の記録再生条件４０１ｂを含むことが保証されるので、この部分をはじめにドライブが読み出すことにより、使用できる記録再生条件があった場合には学習時間が短縮できる。
また、上述のように、ドライブ情報領域４０１の構造を、未記録の領域への追加記録により情報更新を行う構造とすることにより、書き換え型光ディスクだけでなく、１回記録のみ可能なＷｒｉｔｅ−ｏｎｃｅ型（追記型）の光ディスクにも使用できるという効果もある。
【００３５】
（実施の形態２）
図１３は、本発明の実施の形態２の片面２層型光ディスクの構造を示す。
図１３において、６０１は第１の基板、６０２は第１の記録層、６０３は接着樹脂などのスペース層、６０４は第２の記録層、６０５は第２の基板である。
図１３において、第２の基板６０５側からレーザー光を照射し、第１の記録層６０２および第２の記録層６０４にデータを記録、再生する。
第１の記録層６０２および第２の記録層６０４には、トラックがスパイラル状に形成されていてもよいし、複数のトラックがスパイラル状に形成されていてもよい。
【００３６】
図１４は、図１３に示される２層光ディスクに配置される領域の構造を示す。
第１記録層のプリレコード領域７０１ａは、２層光ディスクの識別情報などの情報をトラックのウォブル形状、またはエンボスピット、またはウォブルしたエンボスピット等により記録した領域である。
プリレコード領域７０１ａは、バッファとしてのプロテクト領域７０３ａと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン７０４ａを含む。
【００３７】
また、コントロールデータゾーン７０４ａが含む情報は、第１記録層に関する情報のみであっても良いし、第１記録層に関する情報と第２記録層に関する情報の両方であっても良い。
第２記録層のプリレコード領域７０１ｂは、第１記録層のプリレコード領域７０１ａと同じ半径位置に配置されている。
プリレコード領域７０１ｂは、バッファとしてのプロテクト領域７０３ｂと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン７０４ｂを含む。
【００３８】
また、コントロールデータゾーン７０４ｂが含む情報は、第２記録層に関する情報のみであっても良いし、第１記録層に関する情報と第２記録層に関する情報の両方であっても良い。コントロールデータゾーン７０４ａと７０５ａは同じ情報を有していてもよい。
第１記録層のデータ記録領域７０２ａは、データを含まないプロテクト領域７０５ａと、将来の拡張のためのリザーブ領域７０６ａと、光ディスクを検査するために利用されるテスト領域７０７ａと、バッファ領域７０８ａと、光ディスクの様々な特性などの情報を格納するために利用されるドライブ領域７０９ａと、バッファ領域７１０ａと、ユーザデータ等を記録するユーザデータ記録領域７１１ａと、バッファ領域７１２ａと、将来の拡張のためのリザーブ領域７１３ａと、バッファ領域７１４ａと、データを含まないプロテクト領域７１５ａを含む。プロテクト領域７０５ａは、プリレコード領域７０１ａとデータ記録領域７０２ａのトラックピッチが異なる場合にトラックピッチの遷移領域として用いられることもできる。
【００３９】
第２記録層のデータ記録領域７０２ｂは、プリレコード領域７０１ｂとデータ記録領域７０２ｂのトラックピッチが異なる場合にトラックピッチの遷移領域として用いられることもできる、データを含まないプロテクト領域７０５ｂを含み、プロテクト領域７０５ｂは、第１記録層のプロテクト領域７０５ａと同じ半径位置に配置されている。
また第２記録層のデータ記録領域７０２ｂは、光ディスクを検査するために利用されるテスト領域７０７ｂを含み、テスト領域７０７ｂは、第１記録層のリザーブ領域７０６ａと同じ半径位置に配置されるか、あるいは内周側半径位置が等しく配置されている。
【００４０】
また第２記録層のデータ記録領域７０２ｂは、将来の拡張のためのリザーブ領域７０６ｂを含み、リザーブ領域７０６ｂは、第１記録層のテスト領域７０７ａと同じ半径位置に配置されるか、あるいは外周側半径位置が等しく配置されている。
また第２記録層のデータ記録領域７０２ｂは、バッファ領域７０８ｂを含み、第１記録層のバッファ領域７０８ａと同じ半径位置に配置されている。
また第２記録層のデータ記録領域７０２ｂは、データをふくまないリザーブ領域７０９ｂを含み、第１記録層のドライブ情報領域７０９ａと同じ半径位置に配置されている。
【００４１】
また第２記録層のデータ記録領域７０２ｂは、バッファ領域７１０ｂと、ユーザデータ等を記録するユーザデータ記録領域７１１ｂと、バッファ領域７１２ｂと、将来の拡張のためのリザーブ領域７１３ｂと、バッファ領域７１４ｂと、データを含まないプロテクト領域７１５ｂを含み、それぞれ第１記録層のバッファ領域７１０ａと、ユーザデータ記録領域７１１ａと、バッファ領域７１２ａと、将来の拡張のためのリザーブ領域７１３ａと、バッファ領域７１４ａと、データを含まないプロテクト領域７１５ａと同じ半径位置に配置されている。
またディスクを回転させてトラックを追従して記録再生を行うときの方向は、第１記録層では内周から外周（矢印７１６ａ）であり、第２記録層では外周から内周（矢印７１６ｂ）である。
【００４２】
本構造をとることにより、コントロールデータゾーンが第１記録層、第２記録層の同半径位置に配置されているので、どちらかの層で読めば良く、識別情報の読み取りが早くなるというメリットがある。
また、ドライブ情報領域７０９ａと同じ半径位置にデータの記録されないリザーブ領域７０９ｂが配置されているので、常に一定の状態（ここでは未記録状態）の第２層を通してドライブ情報領域７０９ａを記録再生することができ、ドライブ情報の安定した記録再生ができるという効果がある。
また、本発明の構造により、テスト領域の少なくとも一部と同じ半径位置にデータの記録されないリザーブ領域が配置されているので、常に一定の状態（ここでは未記録状態）の他層を通して安定なテストができるという効果がある。
【００４３】
また、本実施の形態でのドライブ情報領域７０９ａの構造は、図４、図１６、図１７、図１８のいずれの構造であっても良いことは言うまでもない。
【００４４】
（実施の形態３）
本発明の実施の形態３の片面２層型光ディスクも図１３に示すディスク構造を有する。
【００４５】
図１５は、実施の形態３の２層光ディスクに配置される領域の構造を示す。
第１記録層のプリレコード領域８０１ａは、２層光ディスクの識別情報などの情報をトラックのウォブル形状、またはエンボスピット、またはウォブルしたエンボスピット等により記録した領域である。
プリレコード領域８０１ａは、バッファとしてのプロテクト領域８０３ａと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン８０４ａを含む。
【００４６】
また、コントロールデータゾーン８０４ａが含む情報は、第１記録層に関する情報のみであっても良いし、第１記録層に関する情報と第２記録層に関する情報の両方であっても良い。
第２記録層のプリレコード領域８０１ｂは、第１記録層のプリレコード領域８０１ａと同じ半径位置に配置されている。
プリレコード領域８０１ｂは、バッファとしてのプロテクト領域８０３ｂと、光ディスクの識別情報として、ディスクタイプ、ディスクサイズ、ディスク構造、チャネルビット、データゾーン配置情報、記録線速度、再生可能最大パワー、記録パワー情報、記録パルス位置情報、ディスク固有情報のうち少なくとも１つを記録したコントロールデータゾーン８０４ｂを含む。
また、コントロールデータゾーン８０４ｂが含む情報は、第２記録層に関する情報のみであっても良いし、第１記録層に関する情報と第２記録層に関する情報の両方であっても良い。コントロールデータゾーン８０４ａと８０５ａは同じ情報を有していてもよい。
【００４７】
第１記録層のデータ記録領域８０２ａは、データを含まないプロテクト領域８０５ａと、バッファ領域８０６ａと、光ディスクの様々な特性などの情報を格納するために利用されるドライブ情報領域８０７ａと、バッファ領域８０８ａと、光ディスクを検査するために利用されるテスト領域８０９ａと、将来の拡張のためのリザーブ領域８１０ａと、ユーザデータ等を記録するユーザデータ記録領域８１１ａと、バッファ領域８１２ａと、将来の拡張のためのリザーブ領域８１３ａと、バッファ領域８１４ａと、データを含まないプロテクト領域８１５ａを含む。プロテクト領域８０５ａは、プリレコード領域８０１ａとデータ記録領域８０２ａのトラックピッチが異なる場合にトラックピッチの遷移領域として用いられることもできる。
【００４８】
第２記録層のデータ記録領域８０２ｂは、プリレコード領域８０１ｂとデータ記録領域８０２ｂのトラックピッチが異なる場合にトラックピッチの遷移領域として用いられることもできる、データを含まないプロテクト領域８０５ｂを含み、プロテクト領域８０５ｂは、第１記録層のプロテクト領域８０５ａと同じ半径位置に配置されている。
また第２記録層のデータ記録領域８０２ｂは、データをふくまないリザーブ領域８０７ｂを含み、第１記録層のドライブ情報領域８０７ａと同じ半径位置に配置されている。
【００４９】
また第２記録層のデータ記録領域８０２ｂは、将来の拡張のためのリザーブ領域８１０ｂを含み、リザーブ領域８１０ｂは、第１記録層のテスト領域８０９ａと同じ半径位置に配置されるか、あるいは内周側半径位置が等しく配置されている。
また第２記録層のデータ記録領域８０２ｂは、光ディスクを検査するために利用されるテスト領域８０９ｂを含み、テスト領域８０９ｂは、第１記録層のリザーブ領域８１０ａと同じ半径位置に配置されるか、あるいは外周側半径位置が等しく配置されている。
また第２記録層のデータ記録領域８０２ｂは、ユーザデータ等を記録するユーザデータ記録領域８１１ｂと、バッファ領域８１２ｂと、将来の拡張のためのリザーブ領域８１３ｂと、バッファ領域８１４ｂと、データを含まないプロテクト領域８１５ｂを含み、それぞれ第１記録層のユーザデータ記録領域８１１ａと、バッファ領域８１２ａと、将来の拡張のためのリザーブ領域８１３ａと、バッファ領域８１４ａと、データを含まないプロテクト領域８１５ａと同じ半径位置に配置されている。
【００５０】
またディスクを回転させてトラックを追従して記録再生を行うときの方向は、第１記録層では内周から外周（矢印８１６ａ）であり、第２記録層では外周から内周（矢印８１６ｂ）である。
本構造をとることにより、コントロールデータゾーンが第１記録層、第２記録層の同半径位置に配置されているので、どちらかの層で読めば良く、識別情報の読み取りが早くなるというメリットがある。
【００５１】
また、ドライブ情報領域８０７ａと同じ半径位置にデータの記録されないリザーブ領域８０７ｂが配置されているので、常に一定の状態（ここでは未記録状態）の第２層を通してドライブ情報領域８０７ａを記録再生することができ、ドライブ情報の安定した記録再生ができるという効果がある。
また、本発明の構造により、テスト領域の少なくとも一部と同じ半径位置にデータの記録されないリザーブ領域が配置されているので、常に一定の状態（ここでは未記録状態）の他層を通して安定なテストができるという効果がある。
【００５２】
また、本実施の形態でのドライブ情報領域８０７ａの構造は、図４、図１６，図１７，図１８のいずれの構造であっても良いことは言うまでもない。
【００５３】
（実施の形態４）
図１６は、本発明の実施の形態４であるところの、図２に示されるドライブ情報領域２１４の構造を示す。図１７、図１８は、それぞれ変形例を示す。
図１６において、各クラスタは、複数（たとえば３２個）のセクタで構成され、セクタにドライブ固有情報が記録されるのは、実施の形態１と同様である。実施の形態４においては、ドライブ固有情報に加えてひとつのディスク固有情報Ｓ（ｉ）がセクタに記録される。
【００５４】
ディスク固有情報Ｓ（ｉ）は、ユーザデータが記録されている最終アドレス、使用済みのテスト領域の最終アドレスなどを含む。クラスタ＃１のセクタ＃１にドライブ固有情報Ｄ（１）を記録し、ユーザデータを記録した後の最終アドレス情報、および使用済みのテスト領域の最終アドレス情報がディスク固有情報Ｓ（１）としてクラスタ＃１のセクタ＃２に記録される。
同ディスクが２台目の光ディスク装置に装着されると、クラスタ＃２のセクタ＃１、セクタ＃２にそれぞれドライブ固有情報Ｄ（２）、Ｄ（１）を記録し、更に、セクタ＃３にユーザデータを更に記録した後の更新最終アドレス情報、および使用済みのテスト領域の更新最終アドレス情報がディスク固有情報Ｓ（２）として記録される。
【００５５】
このように、各クラスタにおいて、ひとつのセクタを、ディスク固有情報を記録するために用いる。ディスク固有情報を記憶するセクタは、各クラスタの記憶済セクタの最後のセクタに記憶しても良いし（図１６の場合）、各クラスタの先頭セクタに記憶しても良い（図１７の場合）。また、別のセクタに記憶しても良い。
ディスク固有情報は、新ドライブ固有情報が加わるごとに更新するようにしても良いし、又は、所定量のユーザデータ領域が記憶される毎に更新するようにしても良い。所定量のユーザデータ領域が記憶される毎に更新する場合を図１８に示す。
【００５６】
図１８において、ディスクが２台目の光ディスク装置に装着されると、クラスタ＃２のセクタ＃２、セクタ＃３にそれぞれドライブ固有情報Ｄ（２）、Ｄ（１）を記録し、更に、セクタ＃１にユーザデータを記録した後の更新最終アドレス情報、および使用済みのテスト領域の更新最終アドレス情報がディスク固有情報Ｓ（２）として記録される。その後、同じ光ディスク装置を用いて所定量Ｆのユーザデータが記録されれば、クラスタ＃３のセクタ＃２、セクタ＃３にそれぞれドライブ固有情報Ｄ（２）、Ｄ（１）のデータをクラスタ＃２からコピーし、クラスタ＃３のセクタ＃１に更新したディスク固有情報Ｓ（３）を記憶する。
所定量Ｆは、クラスタ数をＧ（たとえばＧ＝２０４８）、ユーザデータ領域の容量をＳとすると、Ｆ＝２Ｓ／Ｇとすることができる。この場合、１台の光ディスク装置を用いてユーザデータ領域を全面記録したとしても、ディスク固有情報Ｓ（ｉ）の更新回数は、Ｇ／２になり、ドライブ情報領域にはまだ半分のクラスタが残ることとなり、余裕を持ってクラスタを利用することができる。Ｆ＝ｈ・Ｓ／Ｇ（ｈは１より大きい正数）で選ぶことができる。たとえばＦ＝Ｓ／Ｇ、Ｆ＝３Ｓ／Ｇ、Ｆ＝４Ｓ／Ｇ、Ｆ＝５Ｓ／Ｇのいずれかであっても良い。
図１７において、ドライブ固有情報Ｄ（ｎ）が３１個まで増えると、Ｄ（１）からＤ（３１）は、セクタ＃３２からセクタ＃２に、光ディスク１０１に記録された時刻の順序に配列され、一番新しいＤ（３１）がセクタ＃２に配置される様に、記憶される。セクタ＃１にはディスク固有情報Ｓ（ｉ）が記憶される。
また、上述のように、ドライブ情報領域９０１の構造を、未記録の領域への追加記録により情報更新を行う構造とすることにより、書き換え型光ディスクだけでなく、１回記録のみ可能なＷｒｉｔｅ−ｏｎｃｅ型（追記型）の光ディスクにも使用できるという効果もある。
【００５７】
また、ユーザデータが記録されている最終アドレス、使用済みのテスト領域の最終アドレスなどを含むディスク固有情報を記録することにより、追記記録時の未記録領域へのアクセス、未使用のテスト領域へのアクセスが早くなる効果もある。
また、ドライブ固有情報とディスク固有情報の両方が１つのクラスタ（ＥＣＣブロック）内に記録される構造であるので、ドライブ固有情報とディスク固有情報の両方を更新する場合においても、１つのクラスタのみを更新すれば良いので、ドライブ情報領域を効率的に使用できるという効果があり、特に１回記録のみ可能なＷｒｉｔｅ−ｏｎｃｅ型（追記型）の光ディスクにおいて効果が大きい。
本発明の光ディスクによれば、複数の記録再生条件は、光ディスクに記録された時刻の順序に配列されている。これにより、ドライブ情報が常に最新の記録再生条件を含んでいることが保証される。
【００５８】
また、本発明の多層光ディスクによれば、ドライブ情報領域の存在する半径位置の他の層は未記録状態であり、ドライブ情報の安定な読み出しが保証される。
なお、優先権主張の基礎出願である日本出願、２００２−１９２１９２と２００２−３１００９４は、これらをここで引用することにより、本願の開示の一部とする。
【産業上の利用可能性】
【００５９】
本発明は、光ディスク、光ディスクの記録装置、光ディスクの記録方法に利用できる。
【図面の簡単な説明】
【図１】本発明の実施の形態１の光ディスク１０１の構造を示す図である。
【図２】図１に示される光ディスクの領域構造を示す図である。
【図３】ＥＣＣブロックの一例を示す構造図である。
【図４】ドライブ情報領域の構造を示す図である。
【図５】ドライブ情報領域のデータ配置を示す図である。
【図６】ドライブ情報領域のデータ配置を示す図である。
【図７】ドライブ情報領域のデータ配置を示す図である。
【図８】ドライブ情報領域のデータ配置を示す図である。
【図９】ドライブ情報領域のデータ配置を示す図である。
【図１０】ドライブ情報領域のデータ配置を示す図である。
【図１１】光ディスク記録装置のブロック図である。
【図１２】光ディスク記録装置の動作を示すフローチャートである。
【図１３】２層光ディスクの構造を示す図である。
【図１４】本発明の実施の形態２の光ディスクの領域構造を示す図である。
【図１５】本発明の実施の形態３の光ディスクの領域構造を示す図である。
【図１６】ドライブ情報領域のデータ配置を示す図である。
【図１７】ドライブ情報領域のデータ配置を示す図である。
【図１８】ドライブ情報領域のデータ配置を示す図である。
【手続補正２】
【補正対象書類名】手続補正書
【補正対象項目名】手続補正３
【補正方法】追加
【補正の内容】
【手続補正３】
【補正対象書類名】特許請求の範囲
【補正対象項目名】全文
【補正方法】変更
【補正の内容】
【特許請求の範囲】
【請求項１】
データを記録するためのデータ記録領域と、ドライブ固有情報を記録するためのドライブ情報領域と、を備えた光ディスクであって、
前記ドライブ情報領域は、複数のクラスタを有し、
前記クラスタのそれぞれは、複数のセクタを有し、
各セクタは、ひとつのドライブ固有情報を記憶する容量を有し、
前記複数のドライブ固有情報は、記録された順序に配列され、最後に記憶されたドライブ固有情報が読み出し順番の先頭の位置にあるような配列で１つのクラスタに記憶される、光ディスク。
【請求項２】
請求項１に記載の光ディスクであって、
新たなドライブ固有情報は、新たなクラスタの先頭セクタに記憶される一方、直前にあるクラスタの最後のセクタを除く残りのセクタの情報が新たなクラスタの先頭セクタに続く残りのセクタに記憶される、光ディスク。
【請求項３】
請求項１に記載の光ディスクであって、
前記ドライブ固有情報は、少なくとも光ディスク装置を製造したメーカーを識別するためのメーカー識別子と、該光ディスク装置のシリアルナンバーを含むドライブ識別子と、
必要なレーザーパワーレベルを含む記録再生条件とを有する、光ディスク。
【請求項４】
請求項１に記載の光ディスクであって、
読み出し光の入射面が同一である、少なくとも第１記録層と第２記録層を有し、
第１記録層にドライブ固有情報を記録するためのドライブ情報領域を備え、前記ドライブ情報領域と同じ半径位置に相当する第２記録層の位置は未記録状態である、光ディスク。
【請求項５】
請求項１に記載の光ディスクであって、
各クラスタにある複数のセクタのひとつに、ディスク固有情報を記憶する、光ディスク。
【請求項６】
請求項５に記載の光ディスクであって、
ディスク固有情報は、少なくともデータ記憶領域においてデータが記録されている最終アドレスを含む、光ディスク。
【請求項７】
データを記録するためのデータ記録領域と、ドライブ固有情報を記録するためのドライブ情報領域と、を備え、前記ドライブ情報領域は、複数のクラスタを有し、前記クラスタのそれぞれは、複数のセクタを有し、各セクタは、ひとつのドライブ固有情報を記憶する容量を有し、前記複数のドライブ固有情報は、記録された順序に配列され、最後に記憶されたドライブ固有情報が読み出し順番の先頭の位置にあるような配列で１つのクラスタに記憶される、光ディスクを記憶する光ディスク装置であって、
光ディスクが装着されたかどうかを検出する検出装置と、
光ディスクに読み書きを行うドライブ装置と、
少なくとも光ディスク装置を製造したメーカーを識別するためのメーカー識別子と、該光ディスク装置のシリアルナンバーを含むドライブ識別子とを保持するメモリと、
ドライブ装置を制御するコントローラを有し、
前記ドライブ装置は、前記コントローラにより制御され、
光ディスクが装着されると、ドライブ情報領域にアクセスし、
先頭未記録クラスタを検出し、
先頭未記録クラスタの直前にある最終記録クラスタを読み出し、
最終記録クラスタにあるドライブ固有情報に基づいて書き込みパワーレベルの設定を行う、
光ディスク装置。
【請求項８】
請求項７に記載の光ディスク装置であって、
最終記録クラスタにあるドライブ固有情報に基づいて書き込みパワーレベルの設定は、
光ディスク装置のドライブ識別子と同じドライブ識別子を有するドライブ固有情報が最終記憶クラスタに含まれているかどうかを判断し、
同じドライブ識別子を有するドライブ固有情報があれば、そのドライブ固有情報に基づいて書き込みパワーレベルの設定をし、
同じドライブ識別子を有するドライブ固有情報がなければ、新たな学習により新たな書き込みパワーレベルを設定して新たなドライブ固有情報を生成し、
新たなドライブ固有情報を、新たなクラスタの先頭セクタに記憶する一方、直前にあるクラスタの最後のセクタを除く残りのセクタの情報を新たなクラスタの先頭セクタに続く残りのセクタに記憶する、光ディスク装置。
【請求項９】
データを記録するためのデータ記録領域と、ドライブ固有情報を記録するためのドライブ情報領域と、を備え、前記ドライブ情報領域は、複数のクラスタを有し、前記クラスタのそれぞれは、複数のセクタを有し、各セクタは、ひとつのドライブ固有情報を記憶する容量を有し、前記複数のドライブ固有情報は、記録された順序に配列され、最後に記憶されたドライブ固有情報が読み出し順番の先頭の位置にあるような配列で１つのクラスタに記憶される、光ディスクを記録する方法であって、
光ディスクの装着を検出し、
光ディスクが装着されると、ドライブ情報領域にアクセスし、
先頭未記録クラスタを検出し、
先頭未記録クラスタの直前にある最終記録クラスタを読み出し、
最終記録クラスタにあるドライブ固有情報に基づいて書き込みパワーレベルの設定を行う、
光ディスクの記録方法。
【請求項１０】
請求項９に記載の光ディスクの記録方法であって、
最終記録クラスタにあるドライブ固有情報に基づいて書き込みパワーレベルの設定は、
光ディスク装置のドライブ識別子と同じドライブ識別子を有するドライブ固有情報が最終記憶クラスタに含まれているかどうかを判断し、
同じドライブ識別子を有するドライブ固有情報があれば、そのドライブ固有情報に基づいて書き込みパワーレベルの設定をし、
同じドライブ識別子を有するドライブ固有情報がなければ、新たな学習により新たな書き込みパワーレベルを設定して新たなドライブ固有情報を生成し、
新たなドライブ固有情報を、新たなクラスタの先頭セクタに記憶する一方、直前にあるクラスタの最後のセクタを除く残りのセクタの情報を新たなクラスタの先頭セクタに続く残りのセクタに記憶する、光ディスクの記憶方法。
【国際調査報告】
2004003897.tif 000039
2004003897.tif 000040
2004003897.tif 000041
2004003897.tif 000042
2004003897.tif 000043
2004003897.tif 000044
2004003897.tif 000045